(57)【要約】  情報共有する相手を所定のエリア内にいるユーザに限定する為、本発明の無線通信システムは、無線基地局装置から移動局にデータを配信する無線通信システムであって、前記移動局は、自局が在圏するセルの前記無線基地局装置に対し、データを送信する前記移動局であって、送信する前記データが所定の種別のデータである場合には、所定の種別のデータであることを示す識別子を前記データに付与する情報識別子付与手段を備え、前記無線基地局装置は、自セルに在圏する前記移動局に対し、信号をブロードキャストする無線基地局装置であって、前記移動局から受信したデータに、前記所定の種別のデータであることを示す識別子が付与されていれば、前記データから前記識別子を除き、除いた後の前記データを含む前記信号を生成する情報配信決定手段を備える。
2014010201.tif 000002
【特許請求の範囲】
【請求項１】
自セルに在圏する移動局に対し、信号をブロードキャストする無線基地局装置であって、
前記移動局から受信したデータに、所定の種別のデータであることを示す識別子が付与されていれば、前記データから前記識別子を除き、除いた後の前記データを含む前記信号を生成する情報配信決定手段を備える、
ことを特徴とする無線基地局装置。
【請求項２】
前記信号は、報知情報配信用の信号である、
ことを特徴とする請求項１の無線基地局装置。
【請求項３】
前記信号は、緊急地震速報配信用の信号である、
ことを特徴とする請求項１の無線基地局装置。
【請求項４】
前記情報配信決定手段は、前記移動局から受信した前記データに前記識別子が付与されていれば、隣接する前記無線基地局装置に前記データを転送し、逆に、隣接する前記無線基地局装置から前記データを転送されると、前記データから前記識別子を除き、除いた後の前記データを含む前記信号を生成する、
ことを特徴とする請求項１乃至３のいずれか１項に記載の無線基地局装置。
【請求項５】
前記情報配信決定手段は、前記データを送信した前記移動局が所定時間以上、前記自セルに在圏する場合に、前記データから前記識別子を除き、除いた後の前記データを含む前記信号を生成する、
ことを特徴とする請求項１乃至４のいずれか１項に記載の無線基地局装置。
【請求項６】
自局が在圏するセルの無線基地局装置に対し、データを送信する移動局であって、
送信する前記データが所定の種別のデータである場合には、所定の種別のデータであることを示す識別子を前記データに付与する情報識別子付与手段を備える、
ことを特徴とする移動局。
【請求項７】
前記情報識別子付与手段は、前記移動局が前記無線基地局装置のセルに在圏している時間が所定時間以下である場合のみ、前記識別子を前記データに付与する、
ことを特徴とする請求項６に記載の移動局。
【請求項８】
無線基地局装置から移動局にデータを配信する無線通信システムであって、
前記無線基地局装置は、請求項１乃至５のいずれかに記載の無線基地局装置であり、
前記移動局は、請求項６乃至７のいずれかに記載の移動局である、
ことを特徴とする無線通信システム。
【請求項９】
前記無線通信システムは、少なくとも１つ前記移動局と、複数の前記無線基地局装置と、前記無線基地局装置に接続された制御装置から構成され、
前記無線基地局装置の前記情報配信決定手段は、前記移動局から受信した前記データに前記識別子が付与されていれば、前記制御装置に前記データを通知し、前記制御装置は、前記情報配信決定手段から前記データが通知されると、前記データを送信した前記移動局がハンドオーバ中かを判断し、ハンドオーバ中であったときは、前記移動局と、ハンドオーバ元の前記無線基地局装置およびハンドオーバ先の前記無線基地局装置が同じ前記移動局を検出し、検出した前記移動局が在圏するセルの前記無線基地局装置に備わる前記情報配信決定手段に対し、前記データを通知し、前記情報配信決定手段は、前記制御装置から前記データを通知されると、前記データから前記識別子を除き、除いた後の前記データを含む前記信号を生成する、
ことを特徴とする請求項８に記載の無線通信システム。
【請求項１０】
無線基地局装置から移動局にデータを配信するデータ配信方法であって、
前記移動局は、送信する前記データが所定の種別のデータである場合には、前記所定の種別のデータであることを示す識別子を前記データに付与して、前記無線基地局装置に送信し、前記無線基地局装置は、前記移動局から受信した前記データに、前記識別子が付与されていれば、前記データから前記識別子を除き、除いた後の前記データを前記移動局にブロードキャストする、
ことを特徴とするデータ配信方法。
【請求項１１】
前記所定の種別のデータは、ＳＮＳ（Ｓｏｃｉａｌ  Ｎｅｔｗｏｒｋｉｎｇ  Ｓｅｒｖｉｃｅ）のデータである、
ことを特徴とする請求項１乃至５のいずれか１項に記載の無線基地局装置。
【請求項１２】
前記信号は、ＣＢＳ（Ｃｅｌｌ  Ｂｒｏａｄｃａｓｔ  Ｓｅｒｖｉｃｅ）の信号である、
ことを特徴とする請求項１乃至５、又は請求項１１のいずれか１項に記載の無線基地局装置。
【請求項１３】
前記緊急地震速報配信用の信号は、ＥＴＷＳ（Ｅａｒｔｈｑｕａｋｅ  ａｎｄ  Ｔｓｕｎａｍｉ  Ｗａｒｎｉｎｇ  Ｓｙｓｔｅｍ）の信号である、
ことを特徴とする請求項３乃至５のいずれか１項に記載の無線基地局装置。
【請求項１４】
前記緊急地震速報配信用の信号は、ＭＡＳ（Ｃｏｍｍｅｒｃｉａｌ  Ｍｏｂｉｌｅ  Ａｌｅｒｔ  Ｓｙｓｔｅｍ）の信号である、
ことを特徴とする請求項３乃至５のいずれか１項に記載の無線基地局装置。
【請求項１５】
前記緊急地震速報配信用の信号は、ＫＰＡＳ（Ｋｏｒｅａ  Ｐｕｂｌｉｃ  Ａｌｅｒｔ  Ｓｙｓｔｅｍ）の信号である、
ことを特徴とする請求項３乃至５のいずれか１項に記載の無線基地局装置。
【請求項１６】
前記無線基地局装置は、Ｈ（ｅ）ＮＢ  Ｇａｔｅｗａｙ（Ｈｏｍｅ  （ｅ）ＮｏｄｅＢ  Ｇａｔｅｗａｙ）である、
ことを特徴とする請求項１乃至５、又は請求項１１乃至１２のいずれか１項に記載の無線基地局装置。
【請求項１７】
前記無線通信システムは、少なくとも１つの移動局と、複数の無線基地局装置と、無線基地局装置に接続された制御装置から構成され、
前記無線基地局装置は、自セルに在圏する移動局に対し、ＭＢＭＳ（Ｍｕｌｔｉｍｅｄｉａ  Ｂｒｏａｄｃａｓｔ  ａｎｄ  Ｍｕｌｔｉｃａｓｔ  Ｓｅｒｖｉｃｅ）マルチキャストモードの信号を配信する無線基地局装置であって、前記無線基地局装置の前記情報配信決定手段は、前記移動局から受信した前記データに前記識別子が付与されていれば、前記制御装置に前記データを通知し、前記制御装置は、前記情報配信決定手段から前記データが通知されると、前記データを送信した前記移動局がハンドオーバ中かを判断し、ハンドオーバ中であったときは、前記移動局と、ハンドオーバ元の前記無線基地局装置およびハンドオーバ先の前記無線基地局装置が同じ前記移動局を検出し、検出した前記移動局が在圏するセルの前記無線基地局装置に備わる前記情報配信決定手段に対し、前記データを通知し、前記情報配信決定手段は、前記制御装置から前記データを通知されると、前記データから前記識別子を除き、除いた後の前記データを含む前記ＭＢＭＳマルチキャストモードの信号を生成する、
ことを特徴とする請求項８に記載の無線通信システム。
【請求項１８】
前記無線通信システムは、前記移動局の前記無線基地局装置のセルに在圏する時間を管理する在圏管理ノードを備え、
前記在圏管理ノードは、前記無線基地局装置から所定の前記移動局の在圏時間の長短を確認するメッセージを通知されると、前記移動局の在圏時間が所定の時間以上でない場合には、在圏時間が長くない旨を表すメッセージを無線基地局装置に通知し、
前記無線基地局装置は、前記在圏管理ノードから在圏時間が長くない旨を表すメッセージを通知されると、前記データから前記識別子を除き、除いた後の前記データを含む前記信号を生成する、
ことを特徴とする請求項８に記載の無線通信システム。
【請求項１９】
前記所定の種別のデータは、ＳＮＳのデータである、
ことを特徴とする請求項６乃至７のいずれか１項に記載の移動局。
【請求項２０】
前記所定の種別のデータは、ＳＮＳのデータである、
ことを特徴とする請求項８乃至９、又は請求項１７乃至１８のいずれか１項に記載の無線通信システム。
【請求項２１】
前記所定の種別のデータは、ＳＮＳのデータである、
ことを特徴とする請求項１０に記載のデータ配信方法。
【発明の詳細な説明】
【技術分野】
【０００１】
本発明は、移動局、無線基地局装置、無線通信システム、データ配信方法に関し、特に、情報共有する相手を所定のエリア内にいるユーザに限定してＳＮＳ（Ｓｏｃｉａｌ  Ｎｅｔｗｏｒｋｉｎｇ  Ｓｅｒｖｉｃｅ）を提供することが可能な移動局、無線基地局装置、無線通信システム、データ配信方法に関する。
【背景技術】
【０００２】
従来、ネットサービスの一つとして、いわゆる、ＳＮＳ（Ｓｏｃｉａｌ  Ｎｅｔｗｏｒｋｉｎｇ  Ｓｅｒｖｉｃｅ）が提供されている。このＳＮＳを利用するユーザは、プロフィール等の情報をユーザ同士で共有し、交流を図ることができる。情報共有する為に各ユーザは、スマートフォンやＰＣ（Ｐｅｒｓｏｎａｌ  Ｃｏｍｐｕｔｅｒ）等の端末を用いて情報をＳＮＳサーバにアップロードしたり、ＳＮＳサーバにアップロードされた他のユーザの情報を入手する。【０００３】
上述のＳＮＳを提供する通信システムが、以下の特許文献１に開示されている。【０００４】
特許文献１のＳＮＳを提供する通信システム（以下、「特許文献１の通信システム」という）は、コミュニティ提供サーバ３００、ユーザ端末４００及びネットワーク５００を備える。ユーザ端末４００とコミュニティ提供サーバ３００の間は、ネットワーク５００を介して接続される。コミュニティ提供サーバ３００は、特定のユーザが参加するネットワーク上のコミュニティサービスを運営するサーバであって、Ｒｏｏｍ管理部１６０と、ユーザ管理部１７０と、メール作成部１４０と、広告管理部２３０と、メール配信部２２０と、を備える。Ｒｏｏｍ管理部１６０は、コミュニティおよびそのカテゴリを管理し、コミュニティに投稿されたコンテンツを蓄積し管理する。ユーザ管理部１７０は、コミュニティサービスに加入した各ユーザのプロフィール情報を保持する。また、メール作成部１４０は、ユーザ管理部１７０に保持されたユーザをあて先とする電子メールを作成する。広告管理部２３０は、コミュニティのカテゴリ、コミュニティを紹介する紹介文、及びユーザのプロフィール情報のうちの少なくとも一つに基づいて選択した広告を電子メールへ挿入する。また、メール配信部２２０は、電子メールを配信する。【０００５】
特許文献１の無線通信装置は、例えば、以下のように動作する。【０００６】
コミュニティ提供サーバ３００のＲｏｏｍ管理部１６０は、新しいコンテンツがコミュニティに投稿されたことをメール作成部１４０に通知する。次に、メール作成部１４０は、新しいコンテンツの投稿を通知する電子メールを作成し、広告管理部２３０へ渡す。広告管理部２３０は、ユーザのプロフィール情報等に基づいて選択した広告を電子メールに挿入する。メール配信部２２０は、広告管理部２３０が作成した電子メールをユーザ（ユーザ端末４００）に配信する。【０００７】
上述の構成や動作により、特許文献１の通信システムは、新しいコンテンツの投稿を知らせるメールに、ユーザの関心を引くような広告を挿入することで、各ユーザの情報共有を可能にすると共に、コミュニティサービスの活性化を図ることができる。
【先行技術文献】
【特許文献】
【０００８】
【特許文献１】特開２００８−２１０３０４号公報
【発明の概要】
【発明が解決しようとする課題】
【０００９】
しかし、特許文献１の通信システムは、情報共有する相手を所定のエリア内にいるユーザに限定することができないという課題があった。その理由は、特許文献１の通信システムには、所定のエリアにいるユーザに限定して情報を配信する仕組みが実現されていないからである。
また、上述の課題により、特許文献１の通信システムを利用するユーザは、自分のいるエリアのユーザのみと情報共有することができない為、災害時には、自分がいるエリアに密着した災害情報を常に得られるとは限らない課題も発生していた。【００１０】
本発明は、上記課題を解決する移動局、無線基地局装置、無線通信システム、データ配信方法を提供することを目的とする。
【課題を解決するための手段】
【００１１】
上記目的を達成するために、本発明の移動局は、自局が在圏するセルの無線基地局装置に対し、データを送信する移動局であって、送信する前記データが所定の種別のデータである場合には、所定の種別のデータであることを示す識別子を前記データに付与する情報識別子付与手段を備える。【００１２】
上記目的を達成するために、本発明の無線基地局装置は、自セルに在圏する移動局に対し、信号をブロードキャストする無線基地局装置であって、前記移動局から受信したデータに、所定の種別のデータであることを示す識別子が付与されていれば、前記データから前記識別子を除き、除いた後の前記データを含む前記信号を生成する情報配信決定手段を備える。【００１３】
上記目的を達成するために、本発明の無線通信システムは、無線基地局装置から移動局にデータを配信する無線通信システムであって、前記移動局は、自局が在圏するセルの前記無線基地局装置に対し、データを送信する前記移動局であって、送信する前記データが所定の種別のデータである場合には、所定の種別のデータであることを示す識別子を前記データに付与する情報識別子付与手段を備え、前記無線基地局装置は、自セルに在圏する前記移動局に対し、信号をブロードキャストする無線基地局装置であって、前記移動局から受信したデータに、前記所定の種別のデータであることを示す識別子が付与されていれば、前記データから前記識別子を除き、除いた後の前記データを含む前記信号を生成する情報配信決定手段を備える。【００１４】
上記目的を達成するために、本発明のデータ配信方法は、無線基地局装置から移動局にデータを配信するデータ配信方法であって、前記移動局は、送信するデータが所定の種別のデータである場合には、前記所定の種別のデータであることを示す識別子を前記データに付与して、前記無線基地局装置に送信し、前記無線基地局装置は、前記移動局から受信した前記データに、前記識別子が付与されていれば、前記データから前記識別子を除き、除いた後の前記データを前記移動局にブロードキャストする。
【発明の効果】
【００１５】
本発明によれば、無線通信システムは、情報共有する相手を所定のエリア内にいるユーザに限定することができる。
【図面の簡単な説明】
【００１６】
【図１】本発明の第１の実施の形態における無線通信システムの構成例を示す図である。
【図２】本発明の第１の実施の形態における無線通信システムを構成する移動局の構成例を示す図である。
【図３】本発明の第１の実施の形態における無線通信システムを構成する基地局の構成例を示す図である。
【図４】本発明の第１の実施の形態における無線通信システムの動作を説明する為の図である。
【図５】本発明の第２の実施の形態における無線通信システムの構成例を示す図である。
【図６】本発明の第２の実施の形態における無線通信システムを構成する基地局の構成例を示す図である。
【図７】本発明の第２の実施の形態における無線通信システムの動作を説明する為の図である。
【図８】本発明の第３の実施の形態における無線通信システムの構成例を示す図である
【図９】本発明の第３の実施の形態における無線通信システムを構成する基地局の構成例を示す図である。
【図１０】本発明の第３の実施の形態における無線通信システムの動作を説明する為の図である。
【図１１】本発明の第４の実施の形態における無線通信システムの構成例を示す図である。
【図１２】本発明の第４の実施の形態における無線通信システムを構成する基地局の構成例を示す図である。
【図１３】本発明の第４の実施の形態における無線通信システムの動作を説明する為の図である。
【図１４】本発明の第５の実施の形態における無線通信システムの構成例を示す図である。
【図１５】本発明の第５の実施の形態における無線通信システムを構成する移動局の構成例を示す図である。
【図１６】本発明の第５の実施の形態における無線通信システムの動作を説明する為の図である。
【図１７】本発明の第６の実施の形態における無線通信システムの構成例を示す図である。
【図１８】本発明の第６の実施の形態における無線通信システムを構成する基地局の構成例を示す図である。
【図１９】本発明の第６の実施の形態における無線通信システムを構成する移動局の構成例を示す図である。
【図２０】本発明の第６の実施の形態における無線通信システムにおいて用いられるハンドオーバ履歴の一例である。
【図２１】本発明の第６の実施の形態における無線通信システムの動作を説明する為の図である。
【図２２】本発明の第７の実施の形態における無線通信システムの構成例を示す図である。
【図２３】本発明の第７の実施の形態における無線通信システムを構成する基地局の構成例を示す図である。
【図２４】本発明の第７の実施の形態における無線通信システムの動作を説明する為の図である。
【図２５】本発明の第８の実施の形態における無線通信システムの構成例を示す図である。
【図２６】本発明の第８の実施の形態における無線通信システムを構成する基地局の構成例を示す図である。
【図２７】本発明の第８の実施の形態における無線通信システムの動作を説明する為の図である。
【図２８】本発明の第９の実施の形態における無線通信システムの構成例を示す図である。
【発明を実施するための形態】
【００１７】
本発明の実施形態について、図面を参照して詳細に説明する。
【００１８】
［第１の実施の形態］
［構成の説明］
図１は、本発明の第１の実施の形態における無線通信システムの構成例を示す図である。図２は、本発明の第１の実施の形態における無線通信システムを構成する移動局の構成例を示す図である。また、図３は、本発明の第１の実施の形態における無線通信システムを構成する基地局の構成例を示す図である。
【００１９】
（１）第１の実施の形態における無線通信システムの構成
図１に示されるように、第１の実施の形態における無線通信システムは、基地局１００と、移動局１０、２０、３０から構成される。図１では、第１の実施の形態における無線通信システムは、移動局を３台備えているが、この限りではない。第１の実施の形態における無線通信システムは、移動局を２台備えてもよいし、３台以上備えても良い。基地局１００と移動局１０、２０、３０間は、無線伝送路にて接続される。
【００２０】
（２）移動局１０、２０、３０の構成と機能
移動局１０、２０、３０の構成と機能を以下に説明する。移動局１０、２０、３０は、それぞれ同じ構成・機能であるので、代表して移動局１０の構成・機能を説明する。
【００２１】
まず、移動局１０は、図２に示されるように、操作表示部１１と、ＳＮＳ情報識別子付与部１２と、無線通信部１３から構成される。操作表示部１１は、ＳＮＳ情報識別子付与部１２と、無線通信部１３に接続される。また、ＳＮＳ情報識別子付与部１２は、無線通信部１３と接続される。無線通信部１３は、無線伝送路に接続される。
【００２２】
操作表示部１１は、ユーザと移動局１０との間のインターフェースを司る入出力機能を備える。例えば、操作表示部１１は、入力を受け付けるキーや表示画面を備える。また、操作表示部１１は、キー操作により入力されたＳＮＳ用のデータを、公知の技術により、３ＧＰＰに規定されるＲＲＣ層（Ｒａｄｉｏ  Ｒｅｓｏｕｒｃｅ  Ｃｏｎｔｒｏｌ層）、すなわちレイヤ３のデータにして出力する。３ＧＰＰは、３ｒｄ  Ｇｅｎｅｒａｔｉｏｎ  Ｐａｒｔｎｅｒｓｈｉｐ  Ｐｒｏｊｅｃｔの略称である。上述のＳＮＳ用のデータは、文字データ（例えば、ツイッターの数行の文字データ）であってもよいし、文字以外の画像データや音声データであってもよい。また、操作表示部１１は、入力されるレイヤ３のデータを、公知の技術により、ＳＮＳ用のデータに戻し、そのデータを表示画面に表示する。
【００２３】
ＳＮＳ情報識別子付与部１２は、入力されるレイヤ３のデータに対し、ＳＮＳ用のデータであることを示す識別子（以下、「ＳＮＳ情報識別子」という）を付与する。ＳＮＳ情報識別子は、本実施形態の無線通信システムにおいてユニークなデータ列であり、本実施形態の無線通信システムのユーザによって、基地局１００と移動局１０、２０、３０に予め設定される。ＳＮＳ情報識別子付与部１２は、ＳＮＳ情報識別子が付与されたレイヤ３のデータを、３ＧＰＰに規定されるＲＲＣメッセージに相乗りさせて出力する。なお、ＳＮＳ情報識別子付与部１２は、ＲＲＣメッセージにレイヤ３のデータを相乗りさせる際、ＲＲＣメッセージの所定の位置に相乗りさせる。所定の位置は、本実施形態の無線通信システムのユーザによって規定され、ＳＮＳ情報識別子付与部１２に設定される。
【００２４】
無線通信部１３は、対向する基地局１００と無線通信を行う。具体的には、無線通信部１３は、入力されるレイヤ３のデータが相乗りしたＲＲＣメッセージに対し、３ＧＰＰに規定される公知のレイヤ１、２の送信処理（例えば、符号化、変調等）を行い、無線信号にして無線伝送路へ出力する。また、無線通信部１３は、入力されるブロードキャスト用の信号に対し、３ＧＰＰに規定される公知のレイヤ１、２の受信処理（例えば、復調や復号、ヘッダ除去等）を行って、レイヤ３のデータとして出力する。
【００２５】
（３）基地局１００の構成と機能
基地局１００の構成と機能を以下に説明する。
【００２６】
基地局１００は、図３に示されるように、無線通信部１１０と、ＳＮＳ情報配信決定部１２０から構成される。ＳＮＳ情報配信決定部１２０は、無線通信部１１０に接続される。無線通信部１１０は、無線伝送路に接続される。
【００２７】
無線通信部１１０は、基地局１００のセル配下の移動局（図１では、移動局１０、２０、３０）と無線通信を行う。具体的には、無線通信部１１０は、無線伝送路から入力される無線信号に対し、３ＧＰＰに規定される公知のレイヤ１、２の受信処理（例えば、復調や復号、ヘッダ除去等）を行い、ＲＲＣメッセージを取得し、出力する。また、無線通信部１１０は、入力されるブロードキャスト用の信号に対し、３ＧＰＰに規定される公知のレイヤ１、２の送信処理（例えば、符号化、変調等）を行い、公知の技術で基地局１００のセル配下の移動局１０、２０、３０にブロードキャストする。
【００２８】
ＳＮＳ情報配信決定部１２０は、ＲＲＣメッセージが入力されると、そのメッセージの所定の位置にあるデータを抽出し、そのデータにＳＮＳ情報識別子が付与されているかを確認する。また、ＳＮＳ情報配信決定部１２０は、抽出したデータにＳＮＳ情報識別子が付与されていれば、抽出したデータはレイヤ３のデータ、すなわちユーザプロフィールや災害情報等のＳＮＳ用のデータが含まれたデータと認識し、そのデータを記憶する。さらに、ＳＮＳ情報配信決定部１２０は、記憶したレイヤ３のデータを読み出し、読み出したデータからＳＮＳ情報識別子を除き、除いた後のデータを含めた公知のブロードキャスト用の信号を作成する。ＳＮＳ情報配信決定部１２０は、作成したブロードキャスト用の信号を出力する。ブロードキャスト用の信号は、公知の報知情報配信用の信号であってもよいし、ＰＷＳ（Ｐｕｂｌｉｃ  Ｗａｒｎｉｎｇ  Ｓｙｓｔｅｍ）等の緊急地震速報配信用の信号であってもよい。
【００２９】
［動作の説明］
図４は、本発明の第１の実施の形態における無線通信システムの動作を説明する為の図である。図４を用いて、本実施形態の無線通信システムの動作を以下に説明する。なお、図４は、ＳＮＳ用のデータとして、ユーザプロフィールを扱う場合を示しているが、この限りではない。ＳＮＳ用のデータは、災害情報を含む数行の文字列であってもよいし、画像データや音声データ等であってもよい。
【００３０】
まず、移動局（図４では移動局１０）は、ＳＮＳ用のデータ、例えばユーザプロフィールを作成する（Ｓ１００）。
【００３１】
具体的には、移動局１０の操作表示部１１が、ユーザによるキー操作により入力されたＳＮＳ用のデータ、例えばユーザプロフィールを、公知の技術により、３ＧＰＰに規定されるＲＲＣ層、すなわちレイヤ３のデータにする。そして、操作表示部１１は、レイヤ３のデータをＳＮＳ情報識別子付与部１２に出力する。
【００３２】
次に、移動局１０は、作成したユーザプロフィールにＳＮＳ情報識別子を付与する（Ｓ１０１）。
【００３３】
具体的には、移動局１０のＳＮＳ情報識別子付与部１２が、操作表示部１１から入力されたレイヤ３のデータに対し、ＳＮＳ情報識別子を付与する。
【００３４】
次に、移動局１０は、ユーザプロフィールを基地局１００に送信する（Ｓ１０２）。
【００３５】
具体的には、移動局１０のＳＮＳ情報識別子付与部１２が、ＳＮＳ情報識別子が付与されたレイヤ３のデータを、公知のＲＲＣメッセージに相乗りさせて無線通信部１３に出力する。ここでの公知のメッセージとは、３ＧＰＰに規定されるＲＲＣ  Ｃｏｎｎｅｃｔｉｏｎ  Ｒｅｑｕｅｓｔメッセージであってもよいし、ＲＲＣ  Ｃｏｎｎｅｃｔｉｏｎ  Ｒｅｃｏｎｆｉｇｕｒａｔｉｏｎメッセージであってもよい。なお、ＳＮＳ情報識別子付与部１２は、公知のＲＲＣメッセージにレイヤ３のデータを相乗りさせる際、ＲＲＣメッセージの所定の位置に相乗りさせる。ここで、レイヤ３のデータが相乗りした公知のＲＲＣメッセージを以下、「送信メッセージ」という。次に、移動局１０の無線通信部１３は、ＳＮＳ情報識別子付与部１２から入力された送信メッセージに対し、３ＧＰＰに規定される公知のレイヤ１、２の送信処理（例えば、符号化、変調等）を行って、無線信号として無線伝送路に出力する。
【００３６】
次に、基地局１００は、無線伝送路から受信したデータにＳＮＳ情報識別子が付与されているかを確認する（Ｓ１０３）。
【００３７】
具体的には、基地局１００の無線通信部１１０は、無線伝送路から入力される無線信号に対し、３ＧＰＰに規定される公知のレイヤ１、２の受信処理（例えば、復調や復号等）を行って、公知のＲＲＣメッセージを取得し、ＳＮＳ情報配信決定部１２０へ出力する。ＳＮＳ情報配信決定部１２０は、公知のＲＲＣメッセージの所定の位置のデータを抽出し、そのデータにＳＮＳ情報識別子、すなわちユニークなデータ列が付与されているかを確認する。
【００３８】
次に、基地局１００のＳＮＳ情報配信決定部１２０は、受信したデータにＳＮＳ情報識別子が付与されていれば、受信したデータはＳＮＳ用のデータ、すなわちユーザプロフィールが含まれたデータと認識し、受信したデータを記憶する（Ｓ１０４）。
【００３９】
次に、基地局１００は、上述のＳ１０４で記憶したデータを配下の移動局にブロードキャストする（Ｓ１０５）。
【００４０】
具体的には、基地局１００のＳＮＳ情報配信決定部１２０は、Ｓ１０４で記憶したデータを読み出し、読み出したデータからＳＮＳ情報識別子を除き、除いた後のデータを含むブロードキャスト用の信号を作成する。ここで、ブロードキャスト用の信号は、報知情報配信用の信号であってもよいし、ＰＷＳ（Ｐｕｂｌｉｃ  Ｗａｒｎｉｎｇ  Ｓｙｓｔｅｍ）等の緊急地震速報配信用の信号であってもよい。これらの信号の場合、ＳＮＳ情報配信決定部１２０は、所定のＳＩＢ（Ｓｙｓｔｅｍ  Ｉｎｆｏｒｍａｔｉｏｎ  Ｂｌｏｃｋ）にＳＮＳ情報識別子を除いた後のデータを含める。例えば、ＰＷＳの１つであるＥＴＷＳ（Ｅａｒｔｈｑｕａｋｅ  ａｎｄ  Ｔｓｕｎａｍｉ  Ｗａｒｎｉｎｇ  Ｓｙｓｔｅｍ）の信号を用いる場合、ＳＮＳ情報配信決定部１２０は、ＳＩＢ１０かＳＩＢ１１にＳＮＳ情報識別子を除いた後のデータを含める。これは、３ＧＰＰ（Ｒｅｌｅａｓｅ８以上）の規定では、ＥＴＷＳをサポートする基地局は、ＳＩＢ１０やＳＩＢ１１を用いて緊急情報を移動局に通知することになっているからである。なお、ＰＷＳには、ＥＴＷＳ以外にＣＭＡＳ（Ｃｏｍｍｅｒｃｉａｌ  Ｍｏｂｉｌｅ  Ａｌｅｒｔ  Ｓｙｓｔｅｍ）があり、ＣＭＡＳの信号にレイヤ３のデータを含めてもよい。さらに、ブロードキャスト用の信号は、ＣＢＳ（Ｃｅｌｌ  Ｂｒｏａｄｃａｓｔ  Ｓｅｒｖｉｃｅ）の信号やＫＰＡＳ（Ｋｏｒｅａ  Ｐｕｂｌｉｃ  Ａｌｅｒｔ  Ｓｙｓｔｅｍ）の信号であってもよい。ＳＮＳ情報配信決定部１２０は、作成したブロードキャスト用の信号を無線通信部１１０に出力する。無線通信部１１０は、ＳＮＳ情報配信決定部１２０からブロードキャスト用の信号を受け取る。無線通信部１１０は、受け取ったブロードキャスト用の信号に対し、３ＧＰＰに規定される公知のレイヤ１、２の送信処理（例えば、符号化、変調等）を行い、公知の技術で基地局１００配下の移動局１０、２０、３０にブロードキャストする。
【００４１】
次に、基地局１００の配下の移動局１０、２０、３０は、ブロードキャスト用の信号を受信し、公知の技術でユーザプロフィールを抽出し、自身の表示画面にユーザプロフィールを表示する（Ｓ１０６）。
【００４２】
具体的には、移動局１０、２０、３０の無線通信部１３は、ブロードキャスト用の信号を受信し、３ＧＰＰに規定される公知のレイヤ１、２の受信処理（例えば、復調、復号等）を行って、受信した信号の所定の位置に含まれるレイヤ３のデータを抽出する。移動局１０、２０、３０の無線通信部１３は、抽出したレイヤ３のデータを、それぞれ操作表示部１１に出力する。移動局１０、２０、３０の操作表示部１１は、無線通信部１３から入力されたレイヤ３のデータを、公知の技術により、ユーザプロフィールに戻し、ユーザプロフィールを表示画面に表示する。
【００４３】
［効果の説明］
本実施形態によれば、無線通信システムは、情報共有する相手を所定のエリア内にいるユーザに限定することができる。
【００４４】
その理由としては、移動局がＳＮＳのデータにＳＮＳ情報識別子を付与し、基地局が、受信したデータがＳＮＳのデータかをＳＮＳ情報識別子の有無により認識し、ＳＮＳのデータであれば、そのデータを自セル配下の移動局にブロードキャストするからである。その結果、基地局のセル配下にいるユーザに限定して、ＳＮＳのデータが配信されることになり、本実施形態の無線通信システムは、情報共有する相手を所定のエリア内（基地局配下のセル）にいるユーザに限定することができる。
【００４５】
なお、本実施形態の無線通信システムを利用するユーザは、自分のいるエリア（セル内）のユーザのみと情報共有することができるので、災害時には、自分がいるエリアに密着した災害情報を常に得ることができる。
【００４６】
また、本実施形態の無線通信システムは、特許文献１の無線通信システムと異なり、ＳＮＳサーバにアクセスすることがないため、ＳＮＳサーバが輻輳していたとしても遅延することなく、情報共有を行うことができる。
【００４７】
［第２の実施の形態］
次に、本発明の第２の実施の形態について説明する。
【００４８】
以降、第１の実施の形態と同様に、ＳＮＳ用のデータはユーザプロフィールであるものとして説明を行うが、この限りではない。ＳＮＳ用のデータは、数行の文字列であってもよいし、画像データや音声データ等であってもよい。
【００４９】
［構成の説明］
図５は、本発明の第２の実施の形態における無線通信システムの構成例を示す図である。また、図６は、本発明の第２の実施の形態における無線通信システムを構成する基地局の構成例を示す図である。
【００５０】
第２の実施の形態における無線通信システムは、図５に示されるように、基地局１００の代わりに基地局２００を備え、さらに基地局２００に隣接する基地局３００、４００を備える。基地局２００、３００、４００は、各々同じ機能動作を有する。基地局２００は、有線回線を介して、基地局３００や基地局４００と接続される。また、基地局２００、３００、４００は、図６に示される通り、ＳＮＳ情報配信決定部１２０の代わりに、ＳＮＳ情報配信決定部２２０を備える。ＳＮＳ情報配信決定部２２０は、隣接する基地局のＳＮＳ情報配信決定部２２０と接続される。
【００５１】
ＳＮＳ情報配信決定部２２０は、ＳＯＮ（Ｓｅｌｆ  Ｏｒｇａｎｉｚｉｎｇ  Ｎｅｔｗｏｒｋ）等の公知の技術により、隣接する基地局のリスト（以下、「隣接基地局リスト」という）を保持し、隣接基地局リストから隣接する基地局を認識する。ＳＮＳ情報配信決定部２２０は、記憶するデータを隣接する基地局にも転送する。また、ＳＮＳ情報配信決定部２２０は、隣接する基地局のＳＮＳ情報配信決定部２２０から入力されるデータを記憶する。
【００５２】
なお、上述した以外の構成や機能は、第１の実施の形態のおける無線通信システムと同じであるので、同一の符号を付して説明を省略する。
【００５３】
［動作の説明］
図７は、本発明の第２の実施の形態における無線通信システムの動作を説明する為の図である。第２の実施の形態における無線通信システムは、ＳＮＳのデータを配信するエリアを隣接する基地局のセルにまで広げるものであり、その動作を、図７を用いて以下に説明する。
【００５４】
まず、移動局１０と基地局２００は、上述したＳ１００〜Ｓ１０４を実施し、基地局２００は、移動局１０から受信したデータ、例えばユーザプロフィールが含まれたデータを記憶する。
【００５５】
次に、基地局２００のＳＮＳ情報配信決定部２２０は、保持する隣接基地局リストを確認し、隣接する基地局を認識する（Ｓ２０５）。
【００５６】
そして、基地局２００のＳＮＳ情報配信決定部２２０は、記憶しているデータ（ユーザプロフィールが含まれたデータ）を、隣接する基地局３００と基地局４００のＳＮＳ情報配信決定部２２０に転送する（Ｓ２０６）。
【００５７】
この際、基地局２００のＳＮＳ情報配信決定部２２０は、記憶しているデータを公知のメッセージで、隣接する基地局３００、４００のＳＮＳ情報配信決定部２２０に転送してもよい。公知のメッセージは、例えば、Ｘ２  Ｓｅｔｕｐ  Ｒｅｑｕｅｓｔであってもよいし、ＥＮＢ  ＣＯＮＦＩＧＵＲＡＴＩＯＮ  ＵＰＤＡＴＥであってもよい。
【００５８】
次に、隣接する基地局３００、４００のＳＮＳ情報配信決定部２２０は、隣接する基地局２００のＳＮＳ情報配信決定部２２０から転送されたデータを受信すると、受信したデータを記憶する（Ｓ２０７）。
【００５９】
次に、各基地局は、上述のＳ１０５を実施し、記憶しているデータを自セル配下の移動局にブロードキャストする。図７の場合には、基地局２００、３００、４００が、自セル配下の移動局１０、２０、３０にデータ（ユーザプロフィールが含まれたデータ）をブロードキャストする。
【００６０】
その他の動作については、第１の実施の形態の動作と同様である為、詳細の説明を省略する。
【００６１】
［効果の説明］
本実施形態によれば、無線通信システムは、隣接する基地局のセル内にいるユーザとも情報を共有することができる。その理由は、移動局からＳＮＳ用のデータを受け取った基地局がＳＮＳ用のデータを隣接する基地局に転送し、隣接する基地局が、転送されたデータを配下の移動局に配信するからである。
【００６２】
［第３の実施の形態］
次に、本発明の第３の実施の形態について説明する。
【００６３】
［構成の説明］
図８は、本発明の第３の実施の形態における無線通信システムの構成例を示す図である。図９は、本発明の第３の実施の形態における無線通信システムを構成する基地局の構成例を示す図である。
【００６４】
第３の実施の形態における無線通信システムは、図８に示されるように、基地局１００の代わりに、基地局５００を備える。また、基地局５００は、図９に示されるように、ＳＮＳ情報配信決定部１２０の代わりに、ＳＮＳ情報配信決定部５２０を備える。
【００６５】
ＳＮＳ情報配信決定部５２０は、基地局５００のセルに在圏している移動局１０、２０、３０の在圏時間を公知の機能により認識する。また、ＳＮＳ情報配信決定部５２０は、受信したデータ、例えばユーザプロフィールを含んだデータがどの移動局から送信されたのかを公知の機能で認識する。ＳＮＳ情報配信決定部５２０は、ユーザプロフィールを含んだデータを送信した移動局の在圏時間が所定時間以上であるかを判断する。所定時間は、本実施形態の無線通信システムのユーザによってＳＮＳ情報配信決定部５２０に設定される。ＳＮＳ情報配信決定部５２０は、ユーザプロフィールを含むデータを送信した移動局の在圏時間が所定時間以上である場合に、記憶するデータを移動局１０、２０、３０にブロードキャストする。
【００６６】
なお、上述した以外の構成や機能は、第１の実施の形態のおける無線通信システムと同じであるので、同一の符号を付して説明を省略する。
【００６７】
[動作の説明]
図１０は、本発明の第３の実施の形態における無線通信システムの動作を説明する為の図である。
【００６８】
まず、移動局１０と基地局５００は、上述したＳ１００〜Ｓ１０４を行い、基地局５００は、移動局１０から受信したデータ、例えばユーザプロフィールを含むデータを記憶する。この際、基地局５００のＳＮＳ情報配信決定部５２０は、ユーザプロフィールを含むデータが移動局１０から送信されたことを公知の機能で認識する。さらに、基地局５００のＳＮＳ情報配信決定部５２０は、基地局５００配下のセルに在圏している各移動局１０、２０、３０の在圏時間を公知の機能により認識する。
【００６９】
次に、基地局５００のＳＮＳ情報配信決定部５２０は、ユーザプロフィールを含んだデータを送信した移動局１０の在圏時間が所定時間以上であるかを判断する（Ｓ５０５）。
【００７０】
次に、基地局５００は、移動局１０の在圏時間が所定時間以上である場合に、記憶しているユーザプロフィールを含むデータを自セル配下の移動局にブロードキャストする（Ｓ５０６）。
【００７１】
具体的には、基地局５００のＳＮＳ情報配信決定部５２０は、移動局１０の在圏時間が所定時間以上である場合に、記憶しているデータを読み出し、読み出したデータからＳＮＳ情報識別子を除き、除いた後のデータを含むブロードキャスト用の信号を作成する。次に、ＳＮＳ情報配信決定部５２０は、作成した信号を無線通信部１１０に出力して、無線通信部１１０が各移動局１０、２０、３０にブロードキャストする。
【００７２】
なお、基地局５００のＳＮＳ情報配信決定部５２０は、移動局１０の在圏時間が所定時間以上でない場合には、記憶しているデータを無線通信部１１０に出力しない。その結果、記憶しているデータは、基地局５００から各移動局１０、２０、３０にブロードキャストされない。
【００７３】
［効果の説明］
本実施形態によれば、無線通信システムは、他の基地局のセルに短期間で移動してしまう移動局から発信されたＳＮＳのデータ（ユーザプロフィール）をブロードキャストしないようにすることができる。その理由として、第３の実施形態の無線通信システムを構成する基地局が、ＳＮＳのデータを発信する移動局が自セルに在圏する時間（以下、「在圏時間」という）を認識し、在圏時間が所定時間以上である場合にブロードキャストするからである。
【００７４】
［第４の実施の形態］
次に、本発明の第４の実施の形態について説明する。
【００７５】
［構成の説明］
図１１は、本発明の第４の実施の形態における無線通信システムの構成例を示す図である。図１２は、本発明の第４の実施の形態における無線通信システムを構成する基地局の構成例を示す図である。
【００７６】
第４の実施の形態における無線通信システムは、図１１に示されるように、基地局１００の代わりに、基地局６００を備える。また、第４の実施の形態における無線通信システムは、基地局６００に接続された在圏管理ノード７００を備える。基地局６００は、図１２に示されるように、ＳＮＳ情報配信決定部１２０の代わりに、ＳＮＳ情報配信決定部６２０を備える。ＳＮＳ情報配信決定部６２０は、在圏管理ノード７００と接続される。
【００７７】
在圏管理ノード７００は、基地局６００配下のセルに在圏している各移動局の在圏時間を公知の機能により認識する。また、在圏管理ノード７００は、所定の移動局について在圏時間の長短を確認するメッセージが入力されると、その移動局の在圏時間が所定の時間以上長いかどうかを判断し、所定の時間以上長い場合には、長い旨を表すメッセージを出力する。在圏時間が所定の時間以上長くない場合には、在圏管理ノード７００は、長くない旨を表すメッセージを出力する。所定の時間は、本実施形態の無線通信システムのユーザによって、在圏管理ノード７００に設定される。本実施形態の無線通信システムのユーザは、所定の時間として、移動局１０が基地局６００のセルに滞在する１日あたりの時間の平均値を設定してもよい。
【００７８】
また、基地局６００のＳＮＳ情報配信決定部６２０は、受信したユーザプロフィールを含んだデータがどの移動局から送信されたデータかを公知の機能で認識し、その移動局の在圏時間の長短を確認するメッセージを出力する。ＳＮＳ情報配信決定部６２０は、在圏時間が長くない旨を表すメッセージを入力された場合、記憶しているデータ（ユーザプロフィールを含んだデータ）を各移動局にブロードキャストする。
【００７９】
なお、上述した以外の構成や機能は、第１の実施の形態のおける無線通信システムと同じであるので、同一の符号を付して説明を省略する。
【００８０】
[動作の説明]
図１３は、本発明の第４の実施の形態における無線通信システムの動作を説明する為の図である。
【００８１】
まず、移動局１０と基地局６００は、上述したＳ１００〜Ｓ１０４を行い、基地局６００のＳＮＳ情報配信決定部６２０は、ユーザプロフィールを含むデータを受信し、記憶する。また、ＳＮＳ情報配信決定部６２０は、ユーザプロフィールを含むデータが移動局１０から送信されたデータであることを公知の機能で認識する。
【００８２】
次に、ＳＮＳ情報配信決定部６２０は、ユーザプロフィールを含むデータを送信した移動局１０について、その在圏時間の長短を確認するメッセージを在圏管理ノード７００に出力する（Ｓ６０５）。
【００８３】
次に、在圏管理ノード７００は、移動局１０の在圏時間の長短を確認するメッセージが入力されると、移動局１０の在圏時間が所定の時間以上なのか否かを確認する。在圏管理ノード７００は、移動局１０の在圏時間が所定の時間以上でない場合には、在圏時間が長くない旨を表すメッセージを基地局６００のＳＮＳ情報配信決定部６２０に出力する。在圏管理ノード７００は、移動局１０の在圏時間が所定の時間以上である場合には、在圏時間が長い旨を表すメッセージを基地局６００のＳＮＳ情報配信決定部６２０に出力する（Ｓ６０６）。
【００８４】
次に、基地局６００は、在圏管理ノード７００から在圏時間が長くない旨を表すメッセージを入力された場合、移動局１０がプライベート空間にいないと判断し、Ｓ１０４で記憶したデータ（ユーザプロフィールを含んだデータ）をブロードキャストする（Ｓ６０８）。
【００８５】
具体的には、基地局６００のＳＮＳ情報配信決定部６２０は、在圏時間が長くない旨を表すメッセージを入力された場合、Ｓ１０４で記憶したデータを読み出す。そして、ＳＮＳ情報配信決定部６２０は、読み出したデータからＳＮＳ情報識別子を除き、除いた後のデータを含むブロードキャスト用の信号を作成し、無線通信部１１０に出力する。無線通信部１１０は各移動局１０、２０、３０にブロードキャストする。
【００８６】
また、基地局６００のＳＮＳ情報配信決定部６２０は、在圏時間が長い旨を表すメッセージを入力された場合、移動局がプライベート空間にいると判断し、Ｓ１０４で記憶したデータを無線通信部１１０に出力しない。すなわち、基地局６００は、Ｓ１０４で記憶したデータを各移動局１０、２０、３０にブロードキャストしない。
【００８７】
［効果の説明］
本実施形態によれば、無線通信システムは、移動局が自宅などのプライベート空間にいる場合には、プライベートな内容のＳＮＳのデータを誤ってブロードキャストしないようにすることができる。
【００８８】
その理由としては、ＳＮＳ情報配信決定部６２０が、ＳＮＳのデータを送信した移動局１０の在圏時間を調べ、所定時間以上、基地局６００のセルに在圏する場合はプライベート空間にいるものと判断し、ＳＮＳのデータをブロードキャストしないからである。
【００８９】
［第５の実施の形態］
次に、本発明の第５の実施の形態について説明する。
【００９０】
［構成の説明］
図１４は、本発明の第５の実施の形態における無線通信システムの構成例を示す図である。図１５は、本発明の第５の実施の形態における無線通信システムを構成する移動局の構成例を示す図である。
【００９１】
第５の実施の形態における無線通信システムは、図１４に示されるように、移動局１０、２０、３０の代わりに、移動局４０、５０、６０を備える。移動局４０、５０、６０は、それぞれ同じ構成・機能を有し、図１５に示されるように、ＳＮＳ情報識別子付与部１２の代わりにＳＮＳ情報識別子付与部１４を備える。
【００９２】
移動局４０、５０、６０のＳＮＳ情報識別子付与部１４は、自局が基地局１００配下のセルに在圏していることを公知の機能で認識し、その在圏時間を測定する。例えば、ＳＮＳ情報識別子付与部１４は、基地局１００のセルＩＤを公知の機能で認識し、セルＩＤを認識している時間を在圏時間として測定してもよい。ＳＮＳ情報識別子付与部１４は、レイヤ３のデータが入力されると、在圏時間が所定時間以下かを確認する。ＳＮＳ情報識別子付与部１４は、在圏時間が所定時間以下の場合に、入力されたレイヤ３のデータに対し、ＳＮＳ情報識別子を付与する。所定時間は、本実施形態の無線通信システムのユーザによって、ＳＮＳ情報識別子付与部１４に設定される。所定時間は、例えば、移動局４０が１日あたりに基地局１００配下のセル内に滞在する時間の平均値であってもよい。
【００９３】
なお、上述した以外の構成や機能は、第１の実施の形態のおける無線通信システムと同じであるので、同一の符号を付して説明を省略する。
【００９４】
[動作の説明]
図１６は、本発明の第５の実施の形態における無線通信システムの動作を説明する為の図である。
【００９５】
まず、移動局４０のＳＮＳ情報識別子付与部１４は、上述のＳ１００を実施し、操作表示部１１からレイヤ３のデータが入力されると、基地局１００配下のセルに在圏している在圏時間が所定時間以下かを確認する（Ｓ７００）。
【００９６】
ここで、ＳＮＳ情報識別子付与部１４は、自局が基地局１００配下のセルに在圏していることを公知の機能で認識し、その在圏時間を測定しているものとする。
【００９７】
次に、ＳＮＳ情報識別子付与部１４は、在圏時間が所定時間以下の場合に、上述のＳ１０１を実施し、入力されるレイヤ３のデータに対し、ＳＮＳ情報識別子を付与する。さらに、ＳＮＳ情報識別子付与部１４は、上述のＳ１０２を実施し、ＳＮＳ情報識別子が付与されたレイヤ３のデータを、公知のＲＲＣメッセージに相乗りさせ、ＲＲＣメッセージを基地局１００に送信する。
【００９８】
なお、ＳＮＳ情報識別子付与部１４は、在圏時間が所定時間より長い場合、移動局４０が家などのプライベート空間にいるものと判断し、上述のＳ１０１やＳ１０２を実施せず、基地局１００に何も送信しない。
【００９９】
［効果の説明］
本実施形態によれば、無線通信システムは、移動局が自宅などのプライベート空間にいる場合、移動局からプライベートな内容のＳＮＳのデータを誤ってブロードキャストしないようにすることができる。
【０１００】
その理由としては、ＳＮＳ情報識別子付与部１４が、移動局４０が基地局１００のセルに在圏する時間を調べ、その時間が所定時間よりも長い場合には、移動局４０はプライベート空間にいると判断し、基地局にＳＮＳのデータを送信しないからである。
【０１０１】
［第６の実施の形態］
次に、本発明の第６の実施の形態について説明する。
【０１０２】
第６の実施の形態における無線通信システムは、ハンドオーバする移動局にＳＮＳのデータを配信するものである。第６の実施の形態における無線通信システムは、ハンドオーバする移動局にＳＮＳのデータを配信するために、ＭＢＭＳ（Ｍｕｌｔｉｍｅｄｉａ  Ｂｒｏａｄｃａｓｔ  ａｎｄ  Ｍｕｌｔｉｃａｓｔ  Ｓｅｒｖｉｃｅ）マルチキャストモードを用いる。ＭＢＭＳマルチキャストモードは、特定移動局にデータをマルチキャストする技術である。以下、第６の実施の形態における無線通信システムの構成や動作を説明する。
【０１０３】
［構成の説明］
図１７は、本発明の第６の実施の形態における無線通信システムの構成例を示す図である。図１８は、本発明の第６の実施の形態における無線通信システムを構成する基地局の構成例を示す図である。また、図１９は、本発明の第６の実施の形態における無線通信システムを構成する移動局の構成例を示す図である。
【０１０４】
第６の実施の形態における無線通信システムは、図１７に示されるように、基地局１００の代わりに、基地局８００と基地局９００を備える。また、第６の実施の形態における無線通信システムは、移動局１０、２０，３０の代わりに、移動局７０、８０、９０を備える。移動局７０、８０、９０は、列車やバス、船などの乗り物で移動し、基地局８００と基地局９００のセルを跨ぎ、ハンドオーバしている。さらに、第６の実施の形態における無線通信システムは、ＭＭＥ（Ｍｏｂｉｌｉｔｙ  Ｍａｎａｇｅｍｅｎｔ  Ｅｎｔｉｔｙ）１０００を備える。ＭＭＥ１０００は、有線回線を介して、基地局８００と基地局９００に接続される。また、移動局７０、８０、９０は、無線伝送路を介して、基地局８００と基地局９００に接続される。
【０１０５】
基地局８００、９００は、同じ構成・機能を有し、図１８に示されるように、無線通信部１１０とＳＮＳ情報配信決定部１２０の代わりに、無線通信部８１０とＳＮＳ情報配信決定部８２０を備える。ＳＮＳ情報配信決定部８２０は、ＭＭＥ１０００と接続される。また、移動局７０、８０、９０は、同じ構成・機能を有し、図１９に示されるように、無線通信部１３の代わりに、無線通信部１５を備える。
【０１０６】
ＭＭＥ１０００は、各移動局７０、８０、９０がどの基地局のセルに在圏しているかを公知の機能で認識し、在圏情報として記憶する。在圏情報とは、移動局７０、８０、９０を表す識別番号毎に、移動局７０、８０、９０が在圏するセルの基地局を表す識別子が関連づけられた情報である。移動局７０、８０、９０を表す識別番号は、ＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ）であってもよい。また、移動局７０、８０、９０が在圏するセルの基地局を表す識別子は、Ｍ−ＴＭＳＩ（Ｍ−Ｔｅｍｐｏｒａｒｙ  Ｍｏｂｉｌｅ  Ｓｕｂｓｃｒｉｂｅｒ  Ｉｄｅｎｔｉｔｙ）であってもよい。ＭＭＥ１０００は、在圏情報を記憶すると、その在圏情報を出力する。
【０１０７】
また、ＭＭＥ１０００は、ハンドオーバを行う移動局を公知の機能で認識する。さらに、ＭＭＥ１０００は、ハンドオーバを行う移動局がどの基地局（以下、「ハンドオーバ元基地局」という）からどの基地局（以下、「ハンドオーバ先基地局」という）にハンドオーバしたのかも公知の機能で認識する。ＭＭＥ１０００は、移動局がハンドオーバを行う度に、その時刻と、ハンドオーバを行った移動局のＩＭＳＩと、ハンドオーバ元基地局を表す識別子と、及びハンドオーバ先基地局を表す識別子とを関連づけ、ハンドオーバ履歴として記憶する。図２０は、本発明の第６の実施の形態における無線通信システムにおいて用いられるハンドオーバ履歴の一例である。
【０１０８】
さらに、ＭＭＥ１０００は、ユーザプロフィールが含まれたデータと移動局を表す識別番号ＩＭＳＩが入力されると、入力されたＩＭＳＩが示す移動局（以下、「プロフィール送信移動局」という）がハンドオーバ中かをハンドオーバ履歴から確認する。具体的には、ＭＭＥ１０００は、上述したハンドオーバ履歴を確認し、入力されたＩＭＳＩが直近にあれば、プロフィール送信移動局はハンドオーバ中と判断する。直近とは、現在の時刻から所定の時間前までの時間帯であるとする。所定の時間は、本実施形態の無線通信システムのユーザによってＭＭＥ１０００に設定される。ＭＭＥ１０００は、プロフィール送信移動局はハンドオーバ中と判断した場合、プロフィール送信移動局のハンドオーバ元基地局とハンドオーバ先基地局を認識する。さらに、ＭＭＥ１０００は、プロフィール送信移動局がハンドオーバ中であった場合、プロフィール送信移動局と同様のハンドオーバを実施している移動局をハンドオーバ履歴から検出する。すなわち、ＭＭＥ１０００は、直近にハンドオーバしており、且つハンドオーバ元基地局とハンドオーバ先基地局がプロフィール送信移動局と同じ移動局を検出する。例えば、図２０でＩＭＳＩがｘｘｘｘｘｘｘｘｘｘｘｘｘｘ２の移動局がプロフィール送信移動局であった場合、ＩＭＳＩがｘｘｘｘｘｘｘｘｘｘｘｘｘｘ３、４の移動局も直近にハンドオーバ中で、且つハンドオーバ元基地局とハンドオーバ先基地局も同じである。ＭＭＥ１０００は、ＩＭＳＩがｘｘｘｘｘｘｘｘｘｘｘｘｘｘ３、４の移動局をプロフィール送信移動局と同様のハンドオーバを行っている移動局と検出する。ＭＭＥ１０００は、検出した移動局とプロフィール送信移動局のＩＭＳＩを移動局群として記憶する。
【０１０９】
また、ＭＭＥ１０００は、移動局群の各移動局がハンドオーバ先基地局のセルに在圏するかを、上述した在圏情報から確認する。そして、ＭＭＥ１０００は、移動局群がハンドオーバ先基地局のセルに在圏する場合、公知の機能により、ハンドオーバ先基地局を介し、移動局群の各移動局との間でＭＢＭＳサービスを提供する為のコネクション、すなわち無線ベアラを確立する。また、移動局群がハンドオーバ先基地局のセルに在圏する場合、ＭＭＥ１０００は、移動局群の移動局を表すＩＭＳＩ、ハンドオーバ先基地局を表す識別子、ユーザプロフィールを含んだデータを出力する。
【０１１０】
基地局８００、９００のＳＮＳ情報配信決定部８２０は、記憶するユーザプロフィールを含んだデータがどの移動局からのデータかを公知の機能で認識し、その移動局のＩＭＳＩを、入力される在圏情報から求める。ＳＮＳ情報配信決定部８２０は、ユーザプロフィールを含んだデータと、そのデータを送信した移動局のＩＭＳＩとを対応づけて出力する。また、ＳＮＳ情報配信決定部８２０は、入力されるユーザプロフィールを含んだデータを、ＭＢＭＳデータ伝送用チャンネル（以下、「ＭＴＣＨ」という）に含めて出力する。
【０１１１】
基地局８００、９００の無線通信部８１０は、入力されるＭＴＣＨに対し、３ＧＰＰに規定される公知のレイヤ１、２の送信処理（例えば、符号化、変調等）を行い、確立した無線ベアラ上で、移動群の移動局宛にマルチキャストを行う。
【０１１２】
上述した以外の構成や機能は、第１の実施の形態のおける無線通信システムと同じであるので、同一の符号を付して説明を省略する。
【０１１３】
なお、本発明の第６の実施の形態における無線通信システムは、ＭＭＥ１０００に上述の機能を保持させる代わりに、サーバや別の装置（以下、「プロファイル管理ノード」という）に上述の機能を保持させてもよい。
【０１１４】
[動作の説明]
図２１は、本発明の第６の実施の形態における無線通信システムの動作を説明する為の図である。
【０１１５】
まず、ＭＭＥ１０００は、公知の機能で、各移動局７０、８０、９０がどの基地局のセルに在圏しているかを認識し、上述した在圏情報として記憶する。
【０１１６】
図２１では、位置登録時にＭＭＥ１０００が在圏情報を記憶する動作例を記載している。すなわち、図２１では、位置登録時、移動局７０、８０、９０は、自局が在圏するセルの基地局８００に対し、位置登録を要求するメッセージを通知する（Ｓ８００）。そして、位置登録を要求するメッセージを受けた基地局８００は、ＭＭＥ１０００に対し、自装置を表す識別子と、移動局７０、８０、９０を表す識別番号ＩＭＳＩを通知する（Ｓ８０１）。ＭＭＥ１０００は、移動局７０、８０、９０を表す識別番号ＩＭＳＩ毎に、基地局８００を表す識別子を在圏情報として記憶する（Ｓ８０２）。
【０１１７】
ＭＭＥ１０００は、図示していないが、記憶した在圏情報を、基地局８００、９００のＳＮＳ情報配信決定部８２０に通知する。なお、ＭＭＥ１０００は、ハンドオーバ等により、移動局７０、８０、９０が在圏するセルの基地局が変わる場合、公知の機能により、在圏情報を更新し、在圏情報を更新する毎に、在圏情報をＳＮＳ情報配信決定部８２０に通知する。基地局８００、９００のＳＮＳ情報配信決定部８２０は、ＭＭＥ１０００より通知された在圏情報を記憶する。
【０１１８】
次に、移動局７０と基地局８００が、上述したＳ１００〜Ｓ１０４を行うと、図示していないが、基地局８００のＳＮＳ情報配信決定部８２０は、受信したユーザプロフィールを含んだデータが移動局７０から送信されたことを公知の機能で認識する。そして、ＳＮＳ情報配信決定部８２０は、受信したユーザプロフィールを含んだデータと、そのデータを送信した移動局７０、すなわちプロフィール送信移動局のＩＭＳＩとを対応づけて、ＭＭＥ１０００に出力する（Ｓ８０３）。
【０１１９】
ＭＭＥ１０００は、ユーザプロフィールを含んだデータと、プロフィール送信移動局のＩＭＳＩが基地局８００のＳＮＳ情報配信決定部８２０から入力されると、プロフィール送信移動局がハンドオーバ中かを、上述したハンドオーバ履歴から判断する（Ｓ８０４）。
【０１２０】
具体的には、ＭＭＥ１０００は、ハンドオーバ履歴を確認し、入力されたプロフィール送信移動局（移動局７０）のＩＭＳＩが直近にあれば、プロフィール送信移動局はハンドオーバ中と判断する。プロフィール送信移動局がハンドオーバ中であった場合には、ＭＭＥ１０００は、プロフィール送信移動局のＩＭＳＩをキーに、ハンドオーバ履歴からプロフィール送信移動局のハンドオーバ元基地局とハンドオーバ先基地局を認識する。
【０１２１】
次に、ＭＭＥ１０００は、プロフィール送信移動局がハンドオーバ中であった場合、プロフィール送信移動局と同様のハンドオーバを実施している移動局をハンドオーバ履歴から検出し、検出した移動局とプロフィール送信移動局のＩＭＳＩを記憶する（Ｓ８０５）。
【０１２２】
具体的には、ＭＭＥ１０００は、直近にハンドオーバし、且つハンドオーバ元基地局とハンドオーバ先基地局がプロフィール送信移動局と同じ移動局をハンドオーバ履歴から検出し、検出した移動局とプロフィール送信移動局のＩＭＳＩを移動局群として記憶する。ここでは、プロフィール送信移動局と同様のハンドオーバを実施する移動局として、移動局８０、９０が検出されたものとして説明を進める。
【０１２３】
次に、ＭＭＥ１０００は、移動局群の各移動局７０、８０、９０がハンドオーバ先基地局のセルに在圏するかを、上述した在圏情報から確認する。ここでは、ハンドオーバ先基地局が基地局９００であるものとして説明を進める。
【０１２４】
次に、ＭＭＥ１０００は、ハンドオーバ先の基地局９００のセルに各移動局７０、８０、９０が在圏する場合、基地局９００のＳＮＳ情報配信決定部８２０に対し、ユーザプロフィールを含むデータと、移動局リストを出力する（Ｓ８０６）。
【０１２５】
上述の移動局リストとは、移動局群の各移動局のＩＭＳＩとハンドオーバ先基地局を表す識別子とが関連付けられたリストである。
【０１２６】
次に、ＭＭＥ１０００は、公知の機能により、各移動局との間でＭＢＭＳサービスの提供する為のコネクション、すなわち無線ベアラを確立する（Ｓ８０７）。
【０１２７】
具体的には、ＭＭＥ１０００は、移動局群の移動局７０、８０、９０に対し、ＭＢＭＳサービスの提供を開始することを、公知の通知メッセージを介して通知する。そして、移動局群の移動局７０、８０、９０は、それぞれ上記通知メッセージに応じて、ＭＭＥ１０００に公知の応答メッセージを送信する。その後、ＭＭＥ１０００は、無線ベアラに関する情報を、ＭＢＭＳ制御チャンネルを介して移動局群の各移動局へ送信し、各移動局は、通知された情報を設定して、ＭＭＥ１０００との間で無線ベアラを確立する。
【０１２８】
次に、基地局９００は、ＭＭＥ１０００から入力されたユーザプロフィールを含むデータを、ＭＢＭＳデータ伝送用チャンネル（以下、「ＭＴＣＨ」という）を用いて、移動局リストの移動局７０、８０、９０にマルチキャストする（Ｓ８０８）。
【０１２９】
具体的には、基地局９００のＳＮＳ情報配信決定部８２０は、ＭＭＥ１０００から入力されたユーザプロフィールを含むデータからＳＮＳ情報識別子を除き、除いた後のデータを含むＭＴＣＨを作成し、ＭＴＣＨを無線通信部８１０に出力する。また、無線通信部８１０は、ＳＮＳ情報配信決定部８２０から入力されたＭＴＣＨに対し、公知の送信処理（例えば、符号化、変調等）を行い、確立した無線ベアラ上で、移動群の移動局宛７０、８０、９０にマルチキャストを行う。
【０１３０】
次に、移動局７０、８０、９０は、ＭＴＣＨを受信し、公知の技術でユーザプロフィールを抽出し、自身の表示画面にユーザプロフィールを表示する（Ｓ８０９）。
【０１３１】
具体的には、移動局７０、８０、９０の無線通信部１５は、ＭＴＣＨを受信し、３ＧＰＰに規定される公知のレイヤ１、２の受信処理（例えば、復調、復号等）を行って、受信した信号の所定の位置に含まれるレイヤ３のデータを抽出する。次に、移動局７０、８０、９０の操作表示部１１は、無線通信部１５から入力されたレイヤ３のデータを、公知の技術により、ユーザプロフィールに戻し、ユーザプロフィールを表示画面に表示する。
【０１３２】
［効果の説明］
本実施形態によれば、無線通信システムは、隣接する基地局のセルを跨いで、電車等で移動する複数の移動局に対し、ＳＮＳのデータを配信することができる。
その理由としては、ＭＭＥ１０００が、ハンドオーバ履歴が同じ移動局を、セルを跨いで電車等で移動する移動局として検出し、ハンドオーバ先基地局が、検出した移動局にＳＮＳのデータをＭＢＭＳマルチキャストモードにて配信するからである。
【０１３３】
［第７の実施の形態］
次に、本発明の第７の実施の形態について説明する。
【０１３４】
［構成の説明］
図２２は、本発明の第７の実施の形態における無線通信システムの構成例を示す図である。図２３は、本発明の第７の実施の形態における無線通信システムを構成する基地局の構成例を示す図である。
【０１３５】
第７の実施の形態における無線通信システムは、図２２に示されるように、第６の実施の形態における無線通信システムと異なり、基地局９００の代わりに、基地局１１００を備える。また、第７の実施の形態における無線通信システムは、第６の実施の形態における無線通信システムと異なり、ＭＭＥ１０００の代わりに、ＭＭＥ１５００を備える。さらに、第７の実施の形態における無線通信システムの移動局は、第６の実施の形態における無線通信システムと異なり、第１の実施の形態における無線通信システムの移動局１０、２０、３０を備える。移動局１０、２０、３０は、列車やバス、船などの乗り物で移動し、基地局８００と基地局１１００のセルを跨ぎ、ハンドオーバしている。ＭＭＥ１５００は、有線回線を介して、基地局１１００に接続される。また、基地局１１００は、無線回線を介して、移動局１０、２０、３０に接続される。
【０１３６】
さらに、第７の実施の形態における無線通信システムの基地局１１００は、図２３に示されるように、無線通信部１１０とＳＮＳ情報配信決定部１１２０を備える。無線通信部１１０は、第１の実施の形態における無線通信システムの無線通信部１１０と同じ無線通信部である。ＳＮＳ情報配信決定部１１２０は、ＭＭＥ１５００と接続される。
【０１３７】
ＭＭＥ１５００は、ハンドオーバ先の基地局１１００のセルに、移動局群の各移動局１０、２０、３０が在圏する場合、ユーザプロフィールを含んだデータを出力する。
【０１３８】
基地局１１００のＳＮＳ情報配信決定部１１２０は、ユーザプロフィールを含むデータが入力されると、そのデータからＳＮＳ情報識別子を除き、除いた後のデータを含むブロードキャスト用の信号を作成し、出力する。
【０１３９】
なお、上述した以外の構成や機能は、第６の実施の形態のおける無線通信システムと同じであるので、同一の符号を付して説明を省略する。
【０１４０】
[動作の説明]
図２４は、本発明の第７の実施の形態における無線通信システムの動作を説明する為の図である。
【０１４１】
ＭＭＥ１５００は、上述のＳ８０４、Ｓ８０５を行い、移動局群の各移動局１０、２０、３０がハンドオーバ先基地局１１００のセルに在圏するかを、在圏情報から確認する。次に、ＭＭＥ１５００は、移動局群の各移動局１０、２０、３０がハンドオーバ先の基地局１１００のセルに在圏する場合には、ハンドオーバ先基地局１１００のＳＮＳ情報配信決定部１１２０に対し、ユーザプロフィールを含むデータを出力する（Ｓ１１００）。
【０１４２】
基地局１１００は、ＭＭＥ１５００からユーザプロフィールを含んだデータが入力されると、そのデータからＳＮＳ情報識別子を除き、除いた後のデータを含むブロードキャスト用の信号を作成し、移動局１０、２０、３０にブロードキャストする（Ｓ１１０１）。
【０１４３】
具体的には、基地局１１００のＳＮＳ情報配信決定部１１２０は、ＭＭＥ１５００から入力されたユーザプロフィールを含むデータからＳＮＳ情報識別子を除き、除いた後のデータを含むブロードキャスト用の信号を作成し、無線通信部１１０に出力する。
【０１４４】
［効果の説明］
本実施形態によれば、無線通信システムは、隣接する基地局のセルを跨いで、電車等で移動する複数の移動局に対し、ＳＮＳのデータを配信することができる。
その理由としては、ＭＭＥ１０００が、ハンドオーバ履歴が同じ移動局を、セルを跨いで電車等で移動する移動局として検出し、ハンドオーバ先基地局が、検出した移動局にＳＮＳのデータを配下のセルに配信するからである。
【０１４５】
［第８の実施の形態］
次に、本発明の第８の実施の形態について説明する。
【０１４６】
［構成の説明］
図２５は、本発明の第８の実施の形態における無線通信システムの構成例を示す図である。図２６は、本発明の第８の実施の形態における無線通信システムを構成する基地局の構成例を示す図である。
【０１４７】
第８の実施の形態における無線通信システムは、図２５に示されるように、第１の実施の形態における無線通信システムと異なり、基地局１００の代わりに、基地局２０００を備える。また、第８の実施の形態における無線通信システムは、第１の実施の形態における無線通信システムと異なり、Ｈ（ｅ）ＮＢ  Ｇａｔｅｗａｙ（Ｈｏｍｅ  （ｅ）ＮｏｄｅＢ  Ｇａｔｅｗａｙ）２１００と、ＳＮＳサービス用サーバ２２００も備える。
【０１４８】
基地局２０００は、Ｈ（ｅ）ＮＢ（Ｈｏｍｅ（ｅ）  ＮｏｄｅＢ）である。基地局２０００は、有線回線を介して、Ｈ（ｅ）ＮＢ  Ｇａｔｅｗａｙ２１００と接続され、Ｈ（ｅ）ＮＢ  Ｇａｔｅｗａｙ２１００は、有線回線を介して、ＳＮＳサービス用サーバ２２００に接続される。
【０１４９】
さらに、第８の実施の形態における無線通信システムの基地局２０００は、図２６に示されるように、ＳＮＳ情報配信決定部１２０の代わりに、ＳＮＳ情報配信決定部２１２０を備える。ＳＮＳ情報配信決定部２１２０は、Ｈ（ｅ）ＮＢ  Ｇａｔｅｗａｙ２１００と接続される。
【０１５０】
基地局２０００のＳＮＳ情報配信決定部２１２０は、記憶しているユーザプロフィールを含むデータを出力する。また、ＳＮＳ情報配信決定部２１２０は、入力されるユーザプロフィールを含むデータからＳＮＳ情報識別子を除き、除いた後のデータを含むブロードキャスト用の信号を作成する。
【０１５１】
Ｈ（ｅ）ＮＢ  Ｇａｔｅｗａｙ２１００は、入力されるユーザプロフィールを含むデータを出力する。
【０１５２】
ＳＮＳサービス用サーバ２２００は、入力されるユーザプロフィールを含むデータを記憶した後、出力する。
【０１５３】
なお、上述した以外の構成や機能は、第１の実施の形態のおける無線通信システムと同じであるので、同一の符号を付して説明を省略する。
【０１５４】
[動作の説明]
図２７は、本発明の第８の実施の形態における無線通信システムの動作を説明する為の図である。
【０１５５】
基地局２０００のＳＮＳ情報配信決定部２１２０は、上述のＳ１０３、Ｓ１０４の動作を行った後、記憶しているユーザプロフィールを含むデータをＨ（ｅ）ＮＢ  Ｇａｔｅｗａｙ２１００に出力する（Ｓ２０００）。
【０１５６】
次に、Ｈ（ｅ）ＮＢ  Ｇａｔｅｗａｙ２１００は、基地局２０００のＳＮＳ情報配信決定部２１２０から入力されたユーザプロフィールを含むデータを、ＳＮＳサービス用サーバ２２００に出力する（Ｓ２００１）。
【０１５７】
次に、ＳＮＳサービス用サーバ２２００は、Ｈ（ｅ）ＮＢ  Ｇａｔｅｗａｙ２１００から入力されたユーザプロフィールを含むデータを記憶する（Ｓ２００２）。
【０１５８】
そして、ＳＮＳサービス用サーバ２２００は、記憶したユーザプロフィールを含むデータをＨ（ｅ）ＮＢ  Ｇａｔｅｗａｙ２１００に出力する（Ｓ２００３）。
【０１５９】
Ｈ（ｅ）ＮＢ  Ｇａｔｅｗａｙ２１００は、ＳＮＳサービス用サーバ２２００から入力されるユーザプロフィールを含むデータを、基地局２０００のＳＮＳ情報配信決定部２１２０に出力する（Ｓ２００４）。
【０１６０】
基地局２０００のＳＮＳ情報配信決定部２１２０は、Ｈ（ｅ）ＮＢ  Ｇａｔｅｗａｙ２１００から入力されたユーザプロフィールを含むデータをブロードキャスト用の信号に含め、公知の技術で移動局１０、２０、３０にブロードキャストする（Ｓ２００５）。
【０１６１】
具体的には、ＳＮＳ情報配信決定部２１２０は、Ｈ（ｅ）ＮＢ  Ｇａｔｅｗａｙ２１００から入力されたユーザプロフィールを含むデータからＳＮＳ情報識別子を除き、除いた後のデータを含むブロードキャスト用の信号を作成し、無線通信部１１０に出力する。無線通信部１１０は、入力されたブロードキャスト用の信号に対し、３ＧＰＰに規定される公知のレイヤ１、２の送信処理（例えば、符号化、変調等）を行い、公知の技術で基地局１００配下の移動局１０、２０、３０にブロードキャストする。
【０１６２】
なお、ＳＮＳ情報配信決定部２１２０は、Ｓ２００５において、Ｈ（ｅ）ＮＢ  Ｇａｔｅｗａｙ２１００から入力されたユーザプロフィールを含むデータを用いず、S１０４で記憶したユーザプロフィールを含むデータをブロードキャスト用の信号に含めてもよい。
【０１６３】
［効果の説明］
本実施形態によれば、無線通信システムは、半径数m〜数十m程度のきわめて小さな範囲にいる移動局にのみユーザプロフィール等のＳＮＳのデータを配信することができる。
その理由としては、基地局２０００として、半径数m〜数十m程度のセルを有するＨ（ｅ）ＮＢを用いるからである。
【０１６４】
［第９の実施の形態］
次に、本発明の第９の実施の形態について説明する。
【０１６５】
［構成の説明］
図２８は、本発明の第９の実施の形態における無線通信システムの構成例を示す図である。
【０１６６】
第９の実施の形態における無線通信システムは、図２８に示されるように、無線基地局装置９０００と、移動局９０１０、９０２０、９０３０から構成される。無線基地局装置９０００と移動局９０１０、９０２０、９０３０は、無線伝送路を介して接続される。なお、図２８では、第９の実施の形態における無線通信システムは、３台の移動局を備えている場合を図示しているが、この限りではない。第９の実施の形態における無線通信システムは、移動局を２台備えてもよいし、３台以上備えていても良い。
【０１６７】
移動局９０１０、９０２０、９０３０は、それぞれ同じ機能・構成を有する。すなわち、移動局９０１０、９０２０、９０３０は、それぞれ自局が在圏するセルの無線基地局装置９０００に対し、データを送信する移動局であって、情報識別子付与部を備える。移動局９０１０、９０２０、９０３０の情報識別子付与部は、送信するデータが所定の種別のデータである場合には、送信するデータに所定の種別のデータであることを示す識別子を付与する。
【０１６８】
無線基地局装置９０００は、自セルに在圏する移動局９０１０、９０２０、９０３０に対し、信号をブロードキャストする無線基地局装置であって、情報配信決定部を備える。情報配信決定部は、移動局９０１０、９０２０、９０３０から受信したデータに、所定の種別のデータであることを示す識別子が付与されていれば、その識別子を受信したデータから除き、除いた後のデータを含む信号を生成する。
【０１６９】
［動作の説明］
移動局９０１０の情報識別子付与部は、送信するデータが所定の種別のデータである場合には、送信するデータに所定の種別のデータであることを示す識別子を付与する。所定の種別のデータは、ＳＮＳのデータであってもよい。移動局９０１０は、所定の種別のデータであることを示す識別子（以下、「情報識別子」という）を付与したデータを無線基地局装置９０００に送信する。
【０１７０】
無線基地局装置９０００の情報配信決定部は、移動局９０１０から受信したデータ（以下、「受信データ」という）に、情報識別子が付与されていれば、その識別子を受信データから除き、除いた後のデータを含む信号を生成する。信号は、例えば報知情報配信用の信号であってもよい。無線基地局装置９０００は、生成した信号を移動局９０１０、９０２０、９０３０にブロードキャストする。
【０１７１】
［効果の説明］
本実施形態によれば、無線通信システムは、情報共有する相手を所定のエリア内にいるユーザに限定することができる。
【０１７２】
その理由としては、移動局が所定の種別のデータに情報識別子を付与し、基地局が、受信したデータが所定の種別のデータかを、情報識別子の有無により認識し、所定の種別のデータであれば、そのデータを自セル配下の移動局にブロードキャストするからである。その結果、基地局のセル配下にいるユーザに限定して、所定の種別のデータが配信されることになり、本実施形態の無線通信システムは、情報共有する相手を所定のエリア内（基地局配下のセル内）にいるユーザに限定することができる。
【０１７３】
以上、実施形態を参照して本願発明を説明したが、本願発明は上記実施形態に限定されものではない。本願発明の構成や詳細には、本願発明のスコープ内で当業者が理解し得る様々な変更をすることができる。また、上述した各実施の形態は、ＳＮＳのデータを用いているが、ＳＮＳのデータに限られない。
【０１７４】
この出願は、２０１２年７月１２日に出願された日本出願特願２０１２−１５６４６５を基礎とする優先権を主張し、その開示の全てをここに取り込む。
【０１７５】
さらに、上記の各実施形態の一部又は全部は、以下の付記のようにも記載されうるが、以下には限られない。
（付記１）
自セルに在圏する移動局に対し、信号をブロードキャストする無線基地局装置であって、
前記移動局から受信したデータに、所定の種別のデータであることを示す識別子が付与されていれば、前記データから前記識別子を除き、除いた後の前記データを含む前記信号を生成する情報配信決定手段を備える、
ことを特徴とする無線基地局装置。
（付記２）
前記信号は、報知情報配信用の信号である、
ことを特徴とする付記１の無線基地局装置。
（付記３）
前記信号は、緊急地震速報配信用の信号である、
ことを特徴とする付記１の無線基地局装置。
（付記４）
前記情報配信決定手段は、前記移動局から受信した前記データに前記識別子が付与されていれば、隣接する前記無線基地局装置に前記データを転送し、逆に、隣接する前記無線基地局装置から前記データを転送されると、前記データから前記識別子を除き、除いた後の前記データを含む前記信号を生成する、
ことを特徴とする付記１乃至３のいずれか１項に記載の無線基地局装置。
（付記５）
前記情報配信決定手段は、前記データを送信した前記移動局が所定時間以上、前記自セルに在圏する場合に、前記データから前記識別子を除き、除いた後の前記データを含む前記信号を生成する、
ことを特徴とする付記１乃至４のいずれか１項に記載の無線基地局装置。
（付記６）
自局が在圏するセルの無線基地局装置に対し、データを送信する移動局であって、
送信する前記データが所定の種別のデータである場合には、所定の種別のデータであることを示す識別子を前記データに付与する情報識別子付与手段を備える、
ことを特徴とする移動局。
（付記７）
前記情報識別子付与手段は、前記移動局が前記無線基地局装置のセルに在圏している時間が所定時間以下である場合のみ、前記識別子を前記データに付与する、
ことを特徴とする付記６に記載の移動局。
（付記８）
無線基地局装置から移動局にデータを配信する無線通信システムであって、
前記無線基地局装置は、付記１乃至５のいずれかに記載の無線基地局装置であり、
前記移動局は、付記６乃至７のいずれかに記載の移動局である、
ことを特徴とする無線通信システム。
（付記９）
前記無線通信システムは、少なくとも１つ前記移動局と、複数の前記無線基地局装置と、前記無線基地局装置に接続された制御装置から構成され、
前記無線基地局装置の前記情報配信決定手段は、前記移動局から受信した前記データに前記識別子が付与されていれば、前記制御装置に前記データを通知し、前記制御装置は、前記情報配信決定手段から前記データが通知されると、前記データを送信した前記移動局がハンドオーバ中かを判断し、ハンドオーバ中であったときは、前記移動局と、ハンドオーバ元の前記無線基地局装置およびハンドオーバ先の前記無線基地局装置が同じ前記移動局を検出し、検出した前記移動局が在圏するセルの前記無線基地局装置に備わる前記情報配信決定手段に対し、前記データを通知し、前記情報配信決定手段は、前記制御装置から前記データを通知されると、前記データから前記識別子を除き、除いた後の前記データを含む前記信号を生成する、
ことを特徴とする付記８に記載の無線通信システム。
（付記１０）
無線基地局装置から移動局にデータを配信するデータ配信方法であって、
前記移動局は、送信する前記データが所定の種別のデータである場合には、前記所定の種別のデータであることを示す識別子を前記データに付与して、前記無線基地局装置に送信し、前記無線基地局装置は、前記移動局から受信した前記データに、前記識別子が付与されていれば、前記データから前記識別子を除き、除いた後の前記データを前記移動局にブロードキャストする、
ことを特徴とするデータ配信方法。
（付記１１）
前記所定の種別のデータは、ＳＮＳ（Ｓｏｃｉａｌ  Ｎｅｔｗｏｒｋｉｎｇ  Ｓｅｒｖｉｃｅ）のデータである、
ことを特徴とする付記１乃至５のいずれか１項に記載の無線基地局装置。
（付記１２）
前記信号は、ＣＢＳ（Ｃｅｌｌ  Ｂｒｏａｄｃａｓｔ  Ｓｅｒｖｉｃｅ）の信号である、
ことを特徴とする付記１乃至５、又は付記１１のいずれか１項に記載の無線基地局装置。
（付記１３）
前記緊急地震速報配信用の信号は、ＥＴＷＳ（Ｅａｒｔｈｑｕａｋｅ  ａｎｄ  Ｔｓｕｎａｍｉ  Ｗａｒｎｉｎｇ  Ｓｙｓｔｅｍ）の信号である、
ことを特徴とする付記３乃至５のいずれか１項に記載の無線基地局装置。
（付記１４）
前記緊急地震速報配信用の信号は、ＭＡＳ（Ｃｏｍｍｅｒｃｉａｌ  Ｍｏｂｉｌｅ  Ａｌｅｒｔ  Ｓｙｓｔｅｍ）の信号である、
ことを特徴とする付記３乃至５のいずれか１項に記載の無線基地局装置。
（付記１５）
前記緊急地震速報配信用の信号は、ＫＰＡＳ（Ｋｏｒｅａ  Ｐｕｂｌｉｃ  Ａｌｅｒｔ  Ｓｙｓｔｅｍ）の信号である、
ことを特徴とする付記３乃至５のいずれか１項に記載の無線基地局装置。
（付記１６）
前記無線基地局装置は、Ｈ（ｅ）ＮＢ  Ｇａｔｅｗａｙ（Ｈｏｍｅ  （ｅ）ＮｏｄｅＢ  Ｇａｔｅｗａｙ）である、
ことを特徴とする付記１乃至５、又は付記１１乃至１２のいずれか１項に記載の無線基地局装置。
（付記１７）
前記無線通信システムは、少なくとも１つの移動局と、複数の無線基地局装置と、無線基地局装置に接続された制御装置から構成され、
前記無線基地局装置は、自セルに在圏する移動局に対し、ＭＢＭＳ（Ｍｕｌｔｉｍｅｄｉａ  Ｂｒｏａｄｃａｓｔ  ａｎｄ  Ｍｕｌｔｉｃａｓｔ  Ｓｅｒｖｉｃｅ）マルチキャストモードの信号を配信する無線基地局装置であって、前記無線基地局装置の前記情報配信決定手段は、前記移動局から受信した前記データに前記識別子が付与されていれば、前記制御装置に前記データを通知し、前記制御装置は、前記情報配信決定手段から前記データが通知されると、前記データを送信した前記移動局がハンドオーバ中かを判断し、ハンドオーバ中であったときは、前記移動局と、ハンドオーバ元の前記無線基地局装置およびハンドオーバ先の前記無線基地局装置が同じ前記移動局を検出し、検出した前記移動局が在圏するセルの前記無線基地局装置に備わる前記情報配信決定手段に対し、前記データを通知し、前記情報配信決定手段は、前記制御装置から前記データを通知されると、前記データから前記識別子を除き、除いた後の前記データを含む前記ＭＢＭＳマルチキャストモードの信号を生成する、
ことを特徴とする付記８に記載の無線通信システム。
（付記１８）
前記無線通信システムは、前記移動局の前記無線基地局装置のセルに在圏する時間を管理する在圏管理ノードを備え、
前記在圏管理ノードは、前記無線基地局装置から所定の前記移動局の在圏時間の長短を確認するメッセージを通知されると、前記移動局の在圏時間が所定の時間以上でない場合には、在圏時間が長くない旨を表すメッセージを無線基地局装置に通知し、
前記無線基地局装置は、前記在圏管理ノードから在圏時間が長くない旨を表すメッセージを通知されると、前記データから前記識別子を除き、除いた後の前記データを含む前記信号を生成する、
ことを特徴とする付記８に記載の無線通信システム。
（付記１９）
前記所定の種別のデータは、ＳＮＳのデータである、
ことを特徴とする付記６乃至７のいずれか１項に記載の移動局。
（付記２０）
前記所定の種別のデータは、ＳＮＳのデータである、
ことを特徴とする付記８乃至９、又は付記１７乃至１８のいずれか１項に記載の無線通信システム。
（付記２１）
前記所定の種別のデータは、ＳＮＳのデータである、
ことを特徴とする付記１０に記載のデータ配信方法。
【符号の説明】
【０１７６】
１０、２０、３０、４０、５０、６０、７０、８０、９０、９０１０、９０２０、９０３０    移動局
１１    操作表示部
１２    ＳＮＳ情報識別子付与部
１３、１５、１１０、８１０    無線通信部
１４    ＳＮＳ情報識別子付与部
１００、２００、３００、４００、５００、６００、８００、９００、１１００、２０００    基地局
１２０、２２０、５２０、６２０、８２０、１１２０    ＳＮＳ情報配信決定部
７００    在圏管理ノード
１０００、１５００    ＭＭＥ
２１００    Ｈ（ｅ）ＮＢ  Ｇａｔｅｗａｙ
２２００    ＳＮＳサービス用サーバ
９０００    無線基地局装置
【図１】
2014010201.tif 000003
【図２】
2014010201.tif 000004
【図３】
2014010201.tif 000005
【図４】
2014010201.tif 000006
【図５】
2014010201.tif 000007
【図６】
2014010201.tif 000008
【図７】
2014010201.tif 000009
【図８】
2014010201.tif 000010
【図９】
2014010201.tif 000011
【図１０】
2014010201.tif 000012
【図１１】
2014010201.tif 000013
【図１２】
2014010201.tif 000014
【図１３】
2014010201.tif 000015
【図１４】
2014010201.tif 000016
【図１５】
2014010201.tif 000017
【図１６】
2014010201.tif 000018
【図１７】
2014010201.tif 000019
【図１８】
2014010201.tif 000020
【図１９】
2014010201.tif 000021
【図２０】
2014010201.tif 000022
【図２１】
2014010201.tif 000023
【図２２】
2014010201.tif 000024
【図２３】
2014010201.tif 000025
【図２４】
2014010201.tif 000026
【図２５】
2014010201.tif 000027
【図２６】
2014010201.tif 000028
【図２７】
2014010201.tif 000029
【図２８】
2014010201.tif 000030
【手続補正書】
【提出日】平成26年12月16日(2014.12.16)
【手続補正１】
【補正対象書類名】特許請求の範囲
【補正対象項目名】全文
【補正方法】変更
【補正の内容】
【特許請求の範囲】
【請求項１】
自セルに在圏する移動局に対し、信号をブロードキャストする無線基地局装置であって、
前記移動局から受信したデータに、所定の種別のデータであることを示す識別子が付与されていれば、前記データから前記識別子を除き、除いた後の前記データを含む前記信号を生成する情報配信決定部を備える、
ことを特徴とする無線基地局装置。
【請求項２】
前記情報配信決定部は、前記移動局から受信した前記データに前記識別子が付与されていれば、隣接する前記無線基地局装置に前記データを転送し、逆に、隣接する前記無線基地局装置から前記データを転送されると、前記データから前記識別子を除き、除いた後の前記データを含む前記信号を生成する、
ことを特徴とする請求項１に記載の無線基地局装置。
【請求項３】
前記情報配信決定部は、前記データを送信した前記移動局が所定時間以上、前記自セルに在圏する場合に、前記データから前記識別子を除き、除いた後の前記データを含む前記信号を生成する、
ことを特徴とする請求項１乃至２のいずれか１項に記載の無線基地局装置。
【請求項４】
自局が在圏するセルの無線基地局装置に対し、データを送信する移動局であって、
送信する前記データが所定の種別のデータである場合には、所定の種別のデータであることを示す識別子を前記データに付与する情報識別子付与部を備える、
ことを特徴とする移動局。
【請求項５】
前記情報識別子付与部は、前記移動局が前記無線基地局装置のセルに在圏している時間が所定時間以下である場合のみ、前記識別子を前記データに付与する、
ことを特徴とする請求項４に記載の移動局。
【請求項６】
無線基地局装置から移動局にデータを配信する無線通信システムであって、
前記無線基地局装置は、請求項１乃至３のいずれか１項に記載の無線基地局装置であり、
前記移動局は、請求項４乃至５のいずれか１項に記載の移動局である、
ことを特徴とする無線通信システム。
【請求項７】
前記無線通信システムは、少なくとも１つ前記移動局と、複数の前記無線基地局装置と、前記無線基地局装置に接続された制御装置から構成され、
前記無線基地局装置の前記情報配信決定部は、前記移動局から受信した前記データに前記識別子が付与されていれば、前記制御装置に前記データを通知し、前記制御装置は、前記情報配信決定部から前記データが通知されると、前記データを送信した前記移動局がハンドオーバ中かを判断し、ハンドオーバ中であったときは、ハンドオーバ元の前記無線基地局装置およびハンドオーバ先の前記無線基地局装置が前記移動局と同じ移動局を検出し、検出した前記移動局が在圏するセルの前記無線基地局装置に備わる前記情報配信決定部に対し、前記データを通知し、前記情報配信決定部は、前記制御装置から前記データを通知されると、前記データから前記識別子を除き、除いた後の前記データを含む前記信号を生成する、
ことを特徴とする請求項６に記載の無線通信システム。
【請求項８】
前記無線通信システムは、少なくとも１つの移動局と、複数の無線基地局装置と、無線基地局装置に接続された制御装置から構成され、
前記無線基地局装置は、自セルに在圏する移動局に対し、ＭＢＭＳ（Ｍｕｌｔｉｍｅｄｉａ  Ｂｒｏａｄｃａｓｔ  ａｎｄ  Ｍｕｌｔｉｃａｓｔ  Ｓｅｒｖｉｃｅ）マルチキャストモードの信号を配信する無線基地局装置であって、前記無線基地局装置の前記情報配信決定部は、前記移動局から受信した前記データに前記識別子が付与されていれば、前記制御装置に前記データを通知し、前記制御装置は、前記情報配信決定部から前記データが通知されると、前記データを送信した前記移動局がハンドオーバ中かを判断し、ハンドオーバ中であったときは、ハンドオーバ元の前記無線基地局装置およびハンドオーバ先の前記無線基地局装置が前記移動局と同じ移動局を検出し、検出した前記移動局が在圏するセルの前記無線基地局装置に備わる前記情報配信決定部に対し、前記データを通知し、前記情報配信決定部は、前記制御装置から前記データを通知されると、前記データから前記識別子を除き、除いた後の前記データを含む前記ＭＢＭＳマルチキャストモードの信号を生成する、
ことを特徴とする請求項６に記載の無線通信システム。
【請求項９】
前記無線通信システムは、前記移動局の前記無線基地局装置のセルに在圏する時間を管理する在圏管理ノードを備え、
前記在圏管理ノードは、前記無線基地局装置から所定の前記移動局の在圏時間の長短を確認するメッセージを通知されると、前記移動局の在圏時間が所定の時間以上でない場合には、在圏時間が長くない旨を表すメッセージを無線基地局装置に通知し、
前記無線基地局装置は、前記在圏管理ノードから在圏時間が長くない旨を表すメッセージを通知されると、前記データから前記識別子を除き、除いた後の前記データを含む前記信号を生成する、
ことを特徴とする請求項６に記載の無線通信システム。
【請求項１０】
無線基地局装置から移動局にデータを配信するデータ配信方法であって、
前記移動局は、送信する前記データが所定の種別のデータである場合には、前記所定の種別のデータであることを示す識別子を前記データに付与して、前記無線基地局装置に送信し、前記無線基地局装置は、前記移動局から受信した前記データに、前記識別子が付与されていれば、前記データから前記識別子を除き、除いた後の前記データを前記移動局にブロードキャストする、
ことを特徴とするデータ配信方法。
【手続補正２】
【補正対象書類名】明細書
【補正対象項目名】００２２
【補正方法】変更
【補正の内容】
【００２２】
操作表示部１１は、ユーザと移動局１０との間のインターフェースを司る入出力機能を備える。例えば、操作表示部１１は、入力を受け付けるキーや表示画面を備える。また、操作表示部１１は、キー操作により入力されたＳＮＳ用のデータを、公知の技術により、３ＧＰＰに規定されるＲＲＣ層（Ｒａｄｉｏ  Ｒｅｓｏｕｒｃｅ  Ｃｏｎｔｒｏｌ層）、すなわちレイヤ３のデータにして出力する。３ＧＰＰは、３ｒｄ  Ｇｅｎｅｒａｔｉｏｎ  Ｐａｒｔｎｅｒｓｈｉｐ  Ｐｒｏｊｅｃｔの略称である。上述のＳＮＳ用のデータは、文字データ（例えば、ツイッター（登録商標）の数行の文字データ）であってもよいし、文字以外の画像データや音声データであってもよい。また、操作表示部１１は、入力されるレイヤ３のデータを、公知の技術により、ＳＮＳ用のデータに戻し、そのデータを表示画面に表示する。
【手続補正書】
【提出日】平成27年9月11日(2015.9.11)
【手続補正１】
【補正対象書類名】特許請求の範囲
【補正対象項目名】全文
【補正方法】変更
【補正の内容】
【特許請求の範囲】
【請求項１】
自局が在圏するセルの無線基地局装置に対し、データを送信する移動局であって、
送信する前記データが所定の種別のデータである場合には、所定の種別のデータであることを示す識別子を前記データに付与する情報識別子付与部を備え、
前記情報識別子付与部は、前記移動局が前記無線基地局装置のセルに在圏している時間が所定時間以下である場合のみ、前記識別子を前記データに付与する、
ことを特徴とする移動局。
【請求項２】
無線基地局装置から移動局にデータを配信する無線通信システムであって、
前記無線基地局装置は、自セルに在圏する移動局に対し、信号をブロードキャストする無線基地局装置であって、前記移動局から受信したデータに、所定の種別のデータであることを示す識別子が付与されていれば、前記データから前記識別子を除き、除いた後の前記データを含む前記信号を生成する情報配信決定部を備える無線基地局装置であり、
前記移動局は、請求項１に記載の移動局である、
ことを特徴とする無線通信システム。
【請求項３】
前記情報配信決定部は、前記移動局から受信した前記データに前記識別子が付与されていれば、隣接する前記無線基地局装置に前記データを転送し、逆に、隣接する前記無線基地局装置から前記データを転送されると、前記データから前記識別子を除き、除いた後の前記データを含む前記信号を生成する、
ことを特徴とする請求項２に記載の無線通信システム。
【請求項４】
前記情報配信決定部は、前記データを送信した前記移動局が所定時間以上、前記自セルに在圏する場合に、前記データから前記識別子を除き、除いた後の前記データを含む前記信号を生成する、
ことを特徴とする請求項２乃至３のいずれか１項に記載の無線通信システム。
【請求項５】
前記無線通信システムは、少なくとも１つ前記移動局と、複数の前記無線基地局装置と、前記無線基地局装置に接続された制御装置から構成され、
前記無線基地局装置の前記情報配信決定部は、前記移動局から受信した前記データに前記識別子が付与されていれば、前記制御装置に前記データを通知し、前記制御装置は、前記情報配信決定部から前記データが通知されると、前記データを送信した前記移動局がハンドオーバ中かを判断し、ハンドオーバ中であったときは、ハンドオーバ元の前記無線基地局装置およびハンドオーバ先の前記無線基地局装置が前記移動局と同じ移動局を検出し、検出した前記移動局が在圏するセルの前記無線基地局装置に備わる前記情報配信決定部に対し、前記データを通知し、前記情報配信決定部は、前記制御装置から前記データを通知されると、前記データから前記識別子を除き、除いた後の前記データを含む前記信号を生成する、
ことを特徴とする請求項２乃至４のいずれか１項に記載の無線通信システム。
【請求項６】
前記無線通信システムは、少なくとも１つの前記移動局と、複数の前記無線基地局装置と、前記無線基地局装置に接続された制御装置から構成され、
前記無線基地局装置は、自セルに在圏する前記移動局に対し、ＭＢＭＳ（Ｍｕｌｔｉｍｅｄｉａ  Ｂｒｏａｄｃａｓｔ  ａｎｄ  Ｍｕｌｔｉｃａｓｔ  Ｓｅｒｖｉｃｅ）マルチキャストモードの信号を配信する無線基地局装置であって、前記無線基地局装置の前記情報配信決定部は、前記移動局から受信した前記データに前記識別子が付与されていれば、前記制御装置に前記データを通知し、前記制御装置は、前記情報配信決定部から前記データが通知されると、前記データを送信した前記移動局がハンドオーバ中かを判断し、ハンドオーバ中であったときは、ハンドオーバ元の前記無線基地局装置およびハンドオーバ先の前記無線基地局装置が前記移動局と同じ移動局を検出し、検出した前記移動局が在圏するセルの前記無線基地局装置に備わる前記情報配信決定部に対し、前記データを通知し、前記情報配信決定部は、前記制御装置から前記データを通知されると、前記データから前記識別子を除き、除いた後の前記データを含む前記ＭＢＭＳマルチキャストモードの信号を生成する、
ことを特徴とする請求項２乃至４のいずれか１項に記載の無線通信システム。
【請求項７】
無線基地局装置から移動局にデータを配信する無線通信システムであって、
前記無線基地局装置は、自セルに在圏する移動局に対し、信号をブロードキャストする無線基地局装置であって、前記移動局から受信したデータに、所定の種別のデータであることを示す識別子が付与されていれば、前記データから前記識別子を除き、除いた後の前記データを含む前記信号を生成する情報配信決定部を備える無線基地局装置であり、
前記移動局は、自局が在圏するセルの無線基地局装置に対し、データを送信する移動局であって、送信する前記データが所定の種別のデータである場合には、所定の種別のデータであることを示す識別子を前記データに付与する情報識別子付与部を備える移動局であり、
前記無線通信システムは、前記移動局の前記無線基地局装置のセルに在圏する時間を管理する在圏管理ノードを備え、
前記在圏管理ノードは、前記無線基地局装置から所定の前記移動局の在圏時間の長短を確認するメッセージを通知されると、前記移動局の在圏時間が所定の時間以上でない場合には、在圏時間が長くない旨を表すメッセージを無線基地局装置に通知し、
前記無線基地局装置は、前記在圏管理ノードから在圏時間が長くない旨を表すメッセージを通知されると、前記データから前記識別子を除き、除いた後の前記データを含む前記信号を生成する、
ことを特徴とする無線通信システム。
【請求項８】
前記情報識別子付与部は、前記移動局が前記無線基地局装置のセルに在圏している時間が所定時間以下である場合のみ、前記識別子を前記データに付与する、
ことを特徴とする請求項７に記載の無線通信システム。
【請求項９】
前記情報配信決定部は、前記移動局から受信した前記データに前記識別子が付与されていれば、隣接する前記無線基地局装置に前記データを転送し、逆に、隣接する前記無線基地局装置から前記データを転送されると、前記データから前記識別子を除き、除いた後の前記データを含む前記信号を生成する、
ことを特徴とする請求項７乃至８のいずれか１項に記載の無線通信システム。
【請求項１０】
前記情報配信決定部は、前記データを送信した前記移動局が所定時間以上、前記自セルに在圏する場合に、前記データから前記識別子を除き、除いた後の前記データを含む前記信号を生成する、
ことを特徴とする請求項７乃至９のいずれか１項に記載の無線通信システム。
【手続補正書】
【提出日】平成27年11月11日(2015.11.11)
【手続補正１】
【補正対象書類名】特許請求の範囲
【補正対象項目名】全文
【補正方法】変更
【補正の内容】
【特許請求の範囲】
【請求項１】
自局が在圏するセルの無線基地局装置に対し、データを送信する移動局であって、
送信する前記データが所定の種別のデータである場合には、所定の種別のデータであることを示す識別子を前記データに付与する情報識別子付与部を備え、
前記情報識別子付与部は、前記移動局が前記無線基地局装置のセルに在圏している時間が所定時間以下である場合のみ、前記識別子を前記データに付与する、
ことを特徴とする移動局。
【請求項２】
無線基地局装置から移動局にデータを配信する無線通信システムであって、
前記無線基地局装置は、自セルに在圏する移動局に対し、信号をブロードキャストする無線基地局装置であって、前記移動局から受信したデータに、所定の種別のデータであることを示す識別子が付与されていれば、前記データから前記識別子を除き、除いた後の前記データを含む前記信号を生成する情報配信決定部を備える無線基地局装置であり、
前記移動局は、請求項１に記載の移動局である、
ことを特徴とする無線通信システム。
【請求項３】
前記情報配信決定部は、前記移動局から受信した前記データに前記識別子が付与されていれば、隣接する前記無線基地局装置に前記データを転送し、逆に、隣接する前記無線基地局装置から前記データを転送されると、前記データから前記識別子を除き、除いた後の前記データを含む前記信号を生成する、
ことを特徴とする請求項２に記載の無線通信システム。
【請求項４】
前記情報配信決定部は、前記データを送信した前記移動局が所定時間以上、前記自セルに在圏する場合に、前記データから前記識別子を除き、除いた後の前記データを含む前記信号を生成する、
ことを特徴とする請求項２乃至３のいずれか１項に記載の無線通信システム。
【請求項５】
前記無線通信システムは、少なくとも１つ前記移動局と、複数の前記無線基地局装置と、前記無線基地局装置に接続された制御装置から構成され、
前記無線基地局装置の前記情報配信決定部は、前記移動局から受信した前記データに前記識別子が付与されていれば、前記制御装置に前記データを通知し、前記制御装置は、前記情報配信決定部から前記データが通知されると、前記データを送信した前記移動局がハンドオーバ中かを判断し、ハンドオーバ中であったときは、ハンドオーバ元の前記無線基地局装置およびハンドオーバ先の前記無線基地局装置が前記移動局と同じ移動局を検出し、検出した前記移動局が在圏するセルの前記無線基地局装置に備わる前記情報配信決定部に対し、前記データを通知し、前記情報配信決定部は、前記制御装置から前記データを通知されると、前記データから前記識別子を除き、除いた後の前記データを含む前記信号を生成する、
ことを特徴とする請求項２乃至４のいずれか１項に記載の無線通信システム。
【請求項６】
前記無線通信システムは、少なくとも１つの前記移動局と、複数の前記無線基地局装置と、前記無線基地局装置に接続された制御装置から構成され、
前記無線基地局装置は、自セルに在圏する前記移動局に対し、ＭＢＭＳ（Ｍｕｌｔｉｍｅｄｉａ  Ｂｒｏａｄｃａｓｔ  ａｎｄ  Ｍｕｌｔｉｃａｓｔ  Ｓｅｒｖｉｃｅ）マルチキャストモードの信号を配信する無線基地局装置であって、前記無線基地局装置の前記情報配信決定部は、前記移動局から受信した前記データに前記識別子が付与されていれば、前記制御装置に前記データを通知し、前記制御装置は、前記情報配信決定部から前記データが通知されると、前記データを送信した前記移動局がハンドオーバ中かを判断し、ハンドオーバ中であったときは、ハンドオーバ元の前記無線基地局装置およびハンドオーバ先の前記無線基地局装置が前記移動局と同じ移動局を検出し、検出した前記移動局が在圏するセルの前記無線基地局装置に備わる前記情報配信決定部に対し、前記データを通知し、前記情報配信決定部は、前記制御装置から前記データを通知されると、前記データから前記識別子を除き、除いた後の前記データを含む前記ＭＢＭＳマルチキャストモードの信号を生成する、
ことを特徴とする請求項２乃至４のいずれか１項に記載の無線通信システム。
【請求項７】
無線基地局装置から移動局にデータを配信する無線通信システムであって、
前記無線基地局装置は、自セルに在圏する移動局に対し、信号をブロードキャストする無線基地局装置であって、前記移動局から受信したデータに、所定の種別のデータであることを示す識別子が付与されていれば、前記データから前記識別子を除き、除いた後の前記データを含む前記信号を生成する情報配信決定部を備える無線基地局装置であり、
前記移動局は、自局が在圏するセルの無線基地局装置に対し、データを送信する移動局であって、送信する前記データが所定の種別のデータである場合には、所定の種別のデータであることを示す識別子を前記データに付与する情報識別子付与部を備える移動局であり、
前記無線通信システムは、前記移動局の前記無線基地局装置のセルに在圏する時間を管理する在圏管理ノードを備え、
前記在圏管理ノードは、前記無線基地局装置から所定の前記移動局の在圏時間の長短を確認するメッセージを通知されると、前記移動局の在圏時間が所定の時間以上でない場合には、在圏時間が長くない旨を表すメッセージを無線基地局装置に通知し、
前記無線基地局装置は、前記在圏管理ノードから在圏時間が長くない旨を表すメッセージを通知されると、前記データから前記識別子を除き、除いた後の前記データを含む前記信号を生成する、
ことを特徴とする無線通信システム。
【請求項８】
前記情報識別子付与部は、前記移動局が前記無線基地局装置のセルに在圏している時間が所定時間以下である場合のみ、前記識別子を前記データに付与する、
ことを特徴とする請求項７に記載の無線通信システム。
【国際調査報告】
2014010201.tif 000031
2014010201.tif 000032
2014010201.tif 000033
2014010201.tif 000034